(57)【要約】      （修正有）【課題】ループ基端に最後に挿通したストランドの自由端が突出することなく一定の品質を維持しながら端部側に玉掛索を形成したワイヤロープを製作することのできるワイヤロープの玉掛索製造方法及びトゲのないワイヤロープの玉掛索を提供する。【解決手段】トゲのないワイヤロープ１１の玉掛索製造方法は、束ストランド形成工程と、第１編み込み工程と、第２編み込み工程と、細束ストランド形成工程と、第１細束切断工程と、第１細束先端押込み工程と、第３半差し編み込み工程と、第２細束切断工程と、第２細束先端押込み工程とよりなる。【選択図】図５０
2011068474.tif 000002
【特許請求の範囲】
【請求項１】
予め折り曲げられたワイヤロープ本体の自由端をストランド毎にばらばらに解舒してワイヤロープ先端部分に６組の束ストランドに形成する束ストランド形成工程と、
束ストランド形成工程終了後に、ワイヤロープのループ部基端とすべき位置において、撚られた各ストランドの間に６組の束ストランドをそれぞれ別々にワイヤロープの撚り方向と同じ方向又は逆の方向に差し込んでワイヤロープ周面から突出させる編み込み作業を複数回行う巻差し又はかご差しの何れか一方の第１編み込み工程と、
第１編み込み工程終了後に、撚られた各ストランドの間に差し込んだ前記６組の束ストランドをそれぞれ別々にワイヤロープの撚り方向と同じ方向又は逆の方向に差し込んでワイヤロープ周面から突出させる編み込み作業を行う巻差し又はかご差しの何れか一方の第２編み込み工程と、
第２編み込み工程終了後に、突出した６組の各束ストランドの先端を更にそれぞれ２組の細束に分別し第１細束と第２細束として１２組の細束ストランドを形成する細束ストランド形成工程と、
細束ストランド形成工程終了後に、第１細束よりなる６組の細束ストランドの突出先端を切断する第１細束切断工程と、
第１細束切断工程終了後に、切断した第１細束である６組の細束ストランドの先端をワイヤロープの撚り束ストランドの中心に形成された芯部領域中心に押込む第１細束先端押込み工程と、
第１細束先端押込み工程終了後に、第２細束よりなる６組の細束ストランドをワイヤロープの撚られた各ストランドの間にワイヤロープの撚り方向と同じ方向又は逆の方向に差し込んでワイヤロープ周面から突出させる編み込み作業を複数回行う巻差し又はかご差しの何れか一方の第３半差し編み込み工程と、
第３半差し編み込み工程終了後に、突出した第２細束たる６組の各細束ストランドの突出先端を切断する第２細束切断工程と、
第２細束切断工程終了後に、切断した第２細束たる６組の細束ストランドの先端を、２組或は３組ずつ束ねてワイヤロープの撚りストランドの中心の芯部領域の空隙中に押込む第２細束先端押込み工程とよりなる
ことを特徴とするトゲのないワイヤロープの玉掛索製造方法。
【請求項２】
第１編み込み工程は、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しを行う工程よりなり、
第２編み込み工程は、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程よりなり、
第３半差し編み込み工程は、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しを行う工程よりなる
ことを特徴とする請求項１に記載のトゲのないワイヤロープの玉掛索製造方法。
【請求項３】
第１編み込み工程は、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しを行う工程よりなり、
第２編み込み工程は、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しを行う工程よりなり、
第３半差し編み込み工程は、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しを行う工程よりなる
ことを特徴とする請求項１に記載のトゲのないワイヤロープの玉掛索製造方法。
【請求項４】
第１編み込み工程は、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しを行う工程よりなり、
第２編み込み工程は、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程よりなり、
第３半差し編み込み工程は、第２細束よりなる６組の細束ストランドをワイヤロープの撚られた各ストランドの間にワイヤロープの撚り方向と逆の方向に差し込んでワイヤロープ周面から突出させる編み込み作業を複数回行うかご差しを行う工程よりなる
ことを特徴とする請求項１に記載のトゲのないワイヤロープの玉掛索製造方法。
【請求項５】
第１編み込み工程は、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しを行う工程よりなり、
第２編み込み工程は、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しを行う工程よりなり、
第３半差し編み込み工程は、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しを行う工程よりなる
ことを特徴とする請求項１に記載のトゲのないワイヤロープの玉掛索製造方法。
【請求項６】
第１編み込み工程は、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しを行う工程よりなり、
第２編み込み工程は、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程よりなり、
第３半差し編み込み工程は、第２細束よりなる６組の細束ストランドをワイヤロープの撚られた各ストランドの間にワイヤロープの撚り方向と逆の方向に差し込んでワイヤロープ周面から突出させる編み込み作業を複数回行うかご差しを行う工程よりなる
ことを特徴とする請求項１に記載のトゲのないワイヤロープの玉掛索製造方法。
【請求項７】
第１編み込み工程は、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しを行う工程よりなり、
第２編み込み工程は、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しを行う工程よりなり、
第３半差し編み込み工程は、第２細束よりなる６組の細束ストランドをワイヤロープの撚られた各ストランドの間にワイヤロープの撚り方向と逆の方向に差し込んでワイヤロープ周面から突出させる編み込み作業を複数回行うかご差しを行う工程よりなる
ことを特徴とする請求項１に記載のトゲのないワイヤロープの玉掛索製造方法。
【請求項８】
第１編み込み工程は、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しを行う工程よりなり、
第２編み込み工程は、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程よりなり、
第３半差し編み込み工程は、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しを行う工程よりなる
ことを特徴とする請求項１に記載のトゲのないワイヤロープの玉掛索製造方法。
【請求項９】
細束ストランド形成工程は、突出した６組の各束ストランドの先端を更に２組の束に分割し、第１細束と第２細束とし、合計で１２組の細束ストランドを形成する工程よりなる
ことを特徴とする請求項１〜８の何れか１項に記載のトゲのないワイヤロープの玉掛索製造方法。
【請求項１０】
細束ストランド形成工程は、突出した６組の各束ストランドの先端を第１細束としての内層線と第２細束としての外層線とに分別して１２組の細束ストランドを形成する工程よりなる
ことを特徴とする請求項１〜８の何れか１項に記載のトゲのないワイヤロープの玉掛索製造方法。
【請求項１１】
細束ストランド形成工程は、突出した６組の各束ストランドの先端を第２細束としての内層線と第１細束としての外層線とに分別して１２組の細束ストランドを形成する工程よりなる
ことを特徴とする請求項１〜８の何れか１項に記載のトゲのないワイヤロープの玉掛索製造方法。
【請求項１２】
請求項１〜１１の何れか１項に記載のトゲのないワイヤロープの玉掛索製造方法により製造したトゲのないワイヤロープの玉掛索。
【発明の詳細な説明】
【技術分野】
【０００１】
この発明は、ワイヤロープの端部側を輪状に丸く折り曲げてその折り曲げた端部の自由端をワイヤロープに連設固定してワイヤロープの先端にループ状の玉掛索を形成するトゲのないワイヤロープの玉掛索製造方法及びトゲのないワイヤロープの玉掛索に関する。
【背景技術】
【０００２】
従来、金属製のワイヤロープは、数本ごとに金属素線を撚って形成したストランドという素線の束を更に多数撚ってロープとなるように構成している。
【０００３】
そして、かかるワイヤロープを突起物に係合するためにはワイヤロープの先端に輪状のループ部を形成してこのループ部を突起物に係合する。
【０００４】
従って、金属ワイヤロープの先端にはかかるループ部を形成して使用されることが多く、このループ形状を玉掛索と言っている。
【０００５】
このようにループ部の玉掛索を形成する方法としては、まず、曲げられたワイヤロープの自由端をストランドの束毎に、すなわち、数本の金属素線を撚って形成した金属束毎にばらばらに解舒する。
【０００６】
次いで、ワイヤロープのループ基端とすべき位置において鋭利なスパイキと呼ばれる針部材で撚られた各束ストランドの間に隙間をこじ開けて先ほどのばらばらにしたストランドのうちの一束目のストランドを差し込んで隙間から挿通する。
【０００７】
このようにして、ばらばらにした各束ストランドを同じ様にして撚りストランドの異なる隙間に通していき、最終的には、すべてのばらばらにした各ストランドの自由端を、ワイヤロープのループ基端となるべき位置において形成されたストランド間隙に挿通する。これを数回繰り返すことを丸差し作業と称する。
【０００８】
かかる丸差し作業が行われた後に間隙を挿通して突出した各束ストランド先端部を更に２組の細束に分岐し、その１組目の細束ストランドはワイヤロープ表面から所望の長さで切断すると共に、切断しない他の組の細束ストランドはそれぞれ異なるストランド間隙に挿通する。これを数回繰り返すことを半差し作業と称する。
【０００９】
このようにして数回のストランド挿通作業を完了し間隙から突出した自由端を切断していくことによりワイヤロープのループ基端の連設固定作業を完了しループ状の玉掛索が出来上がる。
【００１０】
すなわち、従来の手編み玉掛索の製作に使用されるワイヤロープは、心綱とその周囲に６組のストランドを六角状に配しこれを螺旋状に撚り込んで作られており、また、各ストランドは、内部側を構成する複数のワイヤ素線の束とから構成されている。
【００１１】
一般に、ワイヤロープを用いて手編み玉掛索を製作する場合において、ワイヤロープの先端を折り返してループ状とする所謂アイ加工では、法規で定められた基準を守って、例えば、かご差しや巻差しなどと呼ばれる特定の編み込み方法を用いて作られる。
【００１２】
折り返した先端側をワイヤロープを構成する６組の束ストランドと心綱とをバラバラに分け、先端部分が折り返される基側、すなわち、ループ部基端となるべき位置において撚り込まれた各撚りストランドの間に決められた順序で各ばらばらにした束ストランドの先端を通し決まった間から抜き出す。
【００１３】
ループ部基端においてワイヤロープの本線表面から抜き出た６組のばらばらにした束ストランドの先端側を、編み込み方法の種類によって決まった順序で、撚りストランドの特定の間から通して、別の特定の間から抜き出す作業を最低３回以上繰り返す。
【００１４】
３回以上繰り返した後、本線の表面から外部に出ている６組のばらばらの各ストランドの先端側を、各組毎に更に外層線の細束ストランドと内層線の細束ストランドとにそれぞれ識別して、二つの組に細分化し１２組の細束ストランド先端自由端部を形成し、ワイヤロープの表面から外部に出ている６組の各内層線の細束ストランドのみをワイヤロープの表面位置で切断する。
【００１５】
また、切断しなかった６組の各外層線の細束を前記の編み込み方法の種類に決まっている順序で、ワイヤロープの螺旋状に撚り込まれたストランドの特定の間から通して、別の特定の間から抜き出す作業を最低２回以上繰り返す（これを「半差し作業」という）。その後、ワイヤロープの表面から外部に出ている６組の各外層線の細束ストランドをワイヤロープの表面位置で切断する。
【００１６】
なお、各束ストランド又は各外層線の細束ストランドをどの間から通して他のどの間から抜き出すかのこれらの作業手順は、編み込み方法の種類に決まっている。また、各工程の途中ではワイヤロープ表面はハンマで軽く均される。
【００１７】
従来はこのような方法によりワイヤロープを用いて手編み玉掛索が作られている。
【先行技術文献】
【特許文献】
【００１８】
【特許文献１】特開２００６−６９７５６号公報
【発明の概要】
【発明が解決しようとする課題】
【００１９】
しかしながら、従来の一般的な玉掛索の形成作業では、ワイヤロープの表面位置で切断された各内層線や各外層線の細束ストランドは、複数の強度のあるワイヤ素線の集まりであるため、その切断部分の所謂トゲは鋭利になっており、トゲに手が直接触ると手の表面を切ったりして非常に危険である。しかも、トゲの箇所は６個の細束の内層線で６箇所、６個の細束の外層線も６箇所あり、分岐した１２個の細束ストランドにより合計１２箇所のトゲの箇所がワイヤロープの本線表面に分散しており、このため、ワイヤロープのループ部基端表面を掴む場合には手袋をはめないと危険であった。
【００２０】
また、従来の手編み玉掛索においては、内層線及び外層線の細束は当初は本線表面のぎりぎりの位置で切断されているが、トゲの箇所が分散されている本線部分を何回も折り曲げたりするうちに、トゲが本線表面から次第に一部突出し、突出するトゲは場合によっては手袋を裂いて手を切ることもあり、非常に危険であった。
【００２１】
このように玉掛索における最大の問題は、ばらばらにした複数の束ストランドの自由端をスパイキで形成した撚りストランドの間隙から挿通して引出し先端を切断するため、ワイヤロープ周面から切断部分が突出し作業中に解舒ストランドの切断部分先端が鋭利となり作業中に作業員がケガするという危険があり、更には、最終的に完成した玉掛索のループ基端にストランドの切断自由端が突出しているためワイヤロープの玉掛索を使用する使用者にも非常に危険であったということにある。
【００２２】
例えば、ストランドの突出自由端がワイヤロープ周面から突出しないようなアイスプライス端部の処理方法が特許文献１に記載されている。
【００２３】
かかる特許文献１に記載されたアイスプライス端部の処理方法は、束ストランドの切断先端、いわゆるトゲがワイヤロープ周面から突出しないようにワイヤロープの中心部に形成された芯部空隙に押込む技術が開示されているが、ワイヤロープの玉掛索の使用中に徐々に押込まれたトゲが撚りストランドの間からワイヤロープ周面に突出するおそれがあった。
【００２４】
そこで、本願の発明者は、玉掛索のループ基端に最後に挿通したストランドの自由端がワイヤロープの使用中に徐々に表面から突出しないようにしてワイヤロープの使用者の安全を確保できるトゲのないワイヤロープの玉掛索製造方法を開発した。
【００２５】
すなわち、本願発明は、ループ基端のワイヤロープ表面にストランドの自由端が突出することなく一定の品質を維持しながら端部側に玉掛索を形成したワイヤロープを製作することのできるワイヤロープの玉掛索製造方法及びトゲのないワイヤロープの玉掛索を提供することを目的とする。
【課題を解決するための手段】
【００２６】
上記目的を達成するために、請求項１に記載の発明は、予め折り曲げられたワイヤロープ本体の自由端をストランド毎にばらばらに解舒してワイヤロープ先端部分に６組の束ストランドに形成する束ストランド形成工程と、束ストランド形成工程終了後に、ワイヤロープのループ部基端とすべき位置において、撚られた各ストランドの間に６組の束ストランドをそれぞれ別々にワイヤロープの撚り方向と同じ方向又は逆の方向に差し込んでワイヤロープ周面から突出させる編み込み作業を複数回行う巻差し又はかご差しの何れか一方の第１編み込み工程と、第１編み込み工程終了後に、撚られた各ストランドの間に差し込んだ前記６組の束ストランドをそれぞれ別々にワイヤロープの撚り方向と同じ方向又は逆の方向に差し込んでワイヤロープ周面から突出させる編み込み作業を行う巻差し又はかご差しの何れか一方の第２編み込み工程と、第２編み込み工程終了後に、突出した６組の各束ストランドの先端を更にそれぞれ２組の細束に分別し第１細束と第２細束として１２組の細束ストランドを形成する細束ストランド形成工程と、細束ストランド形成工程終了後に、第１細束よりなる６組の細束ストランドの突出先端を切断する第１細束切断工程と、第１細束切断工程終了後に、切断した第１細束である６組の細束ストランドの先端をワイヤロープの撚り束ストランドの中心に形成された芯部領域中心に押込む第１細束先端押込み工程と、第１細束先端押込み工程終了後に、第２細束よりなる６組の細束ストランドをワイヤロープの撚られた各ストランドの間にワイヤロープの撚り方向と同じ方向又は逆の方向に差し込んでワイヤロープ周面から突出させる編み込み作業を複数回行う巻差し又はかご差しの何れか一方の第３半差し編み込み工程と、第３半差し編み込み工程終了後に、突出した第２細束たる６組の各細束ストランドの突出先端を切断する第２細束切断工程と、第２細束切断工程終了後に、切断した第２細束たる６組の細束ストランドの先端を、２組或は３組ずつ束ねてワイヤロープの撚りストランドの中心の芯部領域の空隙中に押込む第２細束先端押込み工程とよりなるトゲのないワイヤロープの玉掛索製造方法とした。
【００２７】
請求項２に記載の発明は、請求項１に記載の発明において、第１編み込み工程では、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しを行う工程よりなり、第２編み込み工程では、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程よりなり、第３半差し編み込み工程では、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しを行う工程よりなるトゲのないワイヤロープの玉掛索製造方法。
【００２８】
請求項３に記載の発明は、請求項１に記載の発明において、第１編み込み工程は、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しを行う工程よりなり、第２編み込み工程は、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しを行う工程よりなり、第３半差し編み込み工程は、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しを行う工程よりなるトゲのないワイヤロープの玉掛索製造方法。
【００２９】
請求項４に記載の発明は、請求項１に記載の発明において、第１編み込み工程は、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しを行う工程よりなり、第２編み込み工程は、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程よりなり、第３半差し編み込み工程は、第２細束よりなる６組の細束ストランドをワイヤロープの撚られた各ストランドの間にワイヤロープの撚り方向と逆の方向に差し込んでワイヤロープ周面から突出させる編み込み作業を複数回行うかご差しを行う工程よりなるトゲのないワイヤロープの玉掛索製造方法。
【００３０】
請求項５に記載の発明は、請求項１に記載の発明において、第１編み込み工程は、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しを行う工程よりなり、第２編み込み工程は、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しを行う工程よりなり、第３半差し編み込み工程は、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しを行う工程よりなるトゲのないワイヤロープの玉掛索製造方法。
【００３１】
請求項６に記載の発明は、請求項１に記載の発明において、第１編み込み工程は、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しを行う工程よりなり、第２編み込み工程は、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程よりなり、第３半差し編み込み工程は、第２細束よりなる６組の細束ストランドをワイヤロープの撚られた各ストランドの間にワイヤロープの撚り方向と逆の方向に差し込んでワイヤロープ周面から突出させる編み込み作業を複数回行うかご差しを行う工程よりなるトゲのないワイヤロープの玉掛索製造方法。
【００３２】
請求項７に記載の発明は、請求項１に記載の発明において、第１編み込み工程は、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しを行う工程よりなり、第２編み込み工程は、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しを行う工程よりなり、第３半差し編み込み工程は、第２細束よりなる６組の細束ストランドをワイヤロープの撚られた各ストランドの間にワイヤロープの撚り方向と逆の方向に差し込んでワイヤロープ周面から突出させる編み込み作業を複数回行うかご差しを行う工程よりなるトゲのないワイヤロープの玉掛索製造方法。
【００３３】
請求項８に記載の発明は、請求項１に記載の発明において、第１編み込み工程は、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しを行う工程よりなり、第２編み込み工程は、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程よりなり、第３半差し編み込み工程は、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しを行う工程よりなるトゲのないワイヤロープの玉掛索製造方法。
【００３４】
請求項９に記載の発明は、請求項１〜８の何れか１項に記載の発明において、細束ストランド形成工程は、突出した６組の各束ストランドの先端を更に２組の束に分割し、第１細束と第２細束とし、合計で１２組の細束ストランドを形成する工程よりなるトゲのないワイヤロープの玉掛索製造方法。
【００３５】
請求項１０に記載の発明は、請求項１〜８の何れか１項に記載の発明において、細束ストランド形成工程は、突出した６組の各束ストランドの先端を第１細束としての内層線と第２細束としての外層線とに分別して１２組の細束ストランドを形成する工程よりなるトゲのないワイヤロープの玉掛索製造方法。
【００３６】
請求項１１に記載の発明は、請求項１〜８の何れか１項に記載の発明において、細束ストランド形成工程は、突出した６組の各束ストランドの先端を第２細束としての内層線と第１細束としての外層線とに分別して１２組の細束ストランドを形成する工程よりなるトゲのないワイヤロープの玉掛索製造方法。
【００３７】
請求項１２に記載の発明は、請求項１〜１１の何れか１項に記載のトゲのないワイヤロープの玉掛索製造方法により製造したトゲのないワイヤロープの玉掛索とした。
【発明の効果】
【００３８】
請求項１に記載の発明によれば、ワイヤロープのループ基端部において、束ストランドや細束ストランドを撚りストランド間に挿通するに際し、まず、ワイヤロープの撚りと同じ方向又は逆の方向の撚りに沿って束ストランドを撚りストランド間に挿通して編み込んでいき、この作業を複数回行い、次いで、ワイヤロープの撚りと同じ方向又は逆の方向に沿って束ストランドを編み込んでいき、その後、それぞれ２組の細束に分別し第１細束と第２細束とに分別した後の第２細束は、ワイヤロープの撚りと同じ方向又は逆の方向で撚りストランド間に挿通して編み込んでいくものである。
従って、束ストランドや細束ストランドの編み込みにより、ワイヤロープの芯部領域中に押込んだ束ストランドの切断先端部や細束ストランドの切断先端部を格納するための、ワイヤロープの撚りの方向と逆の方向に交差したかご差し状態又は同じ方向に巻回した巻差し状態で束ストランドや細束ストランドが編み込まれて編込み収納部を形成することになる。
すなわち、網目状になって交差した束ストランドや細束ストランド又は／及び螺旋状に巻回した束ストランドや細束ストランドが芯部領域の周囲を囲繞した編込み収納部により、ストランド切断先端部たるトゲを包み込んでワイヤロープの外部に突出できないように封止することができる効果がある。
そして、ワイヤロープの玉掛索として使用時に引張り応力や曲げ応力が掛かると、網目状になって交差した束ストランドや細束ストランドが縮小することで、引張り応力や曲げ応力が大きいほど網目がより緊密に小さくなり、又は／及び螺旋状に巻回した束ストランドや細束ストランドも縮小することで、引張り応力や曲げ応力が大きいほど螺旋状に巻回した目がより緊密に小さくなり、間隙のない円周状の側壁いわゆる編込み収納部を形成した状態になるため、編込み収納部における芯部領域の空隙に束ストランド切断先端部および２組或は３組に束ねた細束ストランド切断先端部たるトゲを封じ込めてワイヤロープの外部に突出できないように完全に封入することができる効果がある。
さらに、細束ストランド切断先端部を２組或は３組ずつ束ねると、束ストランドの直径と略同一径となり、芯部領域の空隙からワイヤロープの外部への突出できなくする効果がある。また、上記のように束ねることにより、２組或は３組の細束ストランド切断先端部同士を一体化して、ばらけないようにすることで、細束ストランド切断先端部が芯部領域の周囲の編み目から単線化して再突出しない効果がある。
そして、一旦外部に引出した切断芯線を、芯部領域の空隙に戻すことによりその空隙をなくし、２組或は３組に束ねた細束ストランド切断先端部たるトゲの方向をワイヤロープの長手方向に揃えてワイヤロープの外部への突出を防止する効果がある。
【００３９】
請求項２に記載の発明によれば、ワイヤロープのループ基端部において、束ストランドドを撚りストランド間に挿通するに際し、まず、第１編み込み工程においては、ワイヤロープの撚りと逆の方向の撚りに沿って束ストランドを撚りストランド間に挿通して編み込んでいき、この作業を複数回行い、次いで、第２編み込み工程において、ワイヤロープの撚りと同じ方向に沿って束ストランドを編み込んでいき、第３半差し編み込み工程において、ワイヤロープの撚りと同じ方向に沿って第２細束よりなる６組の細束ストランドを編み込んで行くものである。
従って、束ストランドや第２細束の細束ストランドの編み込みにより、ワイヤロープの芯部領域中に押込んだ束ストランドの切断先端部や細束ストランドの切断先端部を格納するための、ワイヤロープの撚りの方向と逆の方向に交差したかご差し状態及び同じ方向に巻回した巻差し状態で束ストランドが編み込まれ編込み収納部を形成し、さらに巻差し状態で細束ストランドが編み込まれて編込み収納部を形成することになる。
すなわち、網目状になって交差した束ストランド及び螺旋状に巻回した束ストランド及び螺旋状に巻回した細束ストランドが芯部領域の周囲を囲繞した編込み収納部により、ストランド切断先端部や細束ストランド切断先端部たるトゲを包み込んでワイヤロープの外部に突出できないように封止することができる効果がある。
そして、ワイヤロープの玉掛索として使用時に引張り応力や曲げ応力が掛かると、網目状になって交差した束ストランドが縮小することで、引張り応力や曲げ応力が大きいほど網目がより緊密に小さくなり、さらに、螺旋状に巻回した束ストランドや細束ストランドも縮小することで、引張り応力や曲げ応力が大きいほど螺旋状に巻回した目がより緊密に小さくなり、間隙のない円周状の側壁いわゆる編込み収納部を形成した状態になるため、編込み収納部における芯部領域の空隙に束ストランド切断先端部および２組或は３組に束ねた細束ストランド切断先端部たるトゲを封じ込めてワイヤロープの外部に突出できないように完全に封入することができる効果がある。
【００４０】
請求項３に記載の発明によれば、ワイヤロープのループ基端部において、束ストランドを撚りストランド間に挿通するに際し、まず、第１編み込み工程においては、ワイヤロープの撚りと逆の方向の撚りに沿って束ストランドを撚りストランド間に挿通して編み込んでいき、この作業を複数回行い、次いで、第２編み込み工程において、ワイヤロープの撚りと逆の方向に沿って束ストランドを編み込んでいき、第３半差し編み込み工程において、ワイヤロープの撚り方向と同じ方向に第２細束よりなる６組の細束ストランドを編み込んで行くものである。
従って、束ストランドや第２細束の細束ストランドの編み込みにより、ワイヤロープの芯部領域中に押込んだ束ストランドの切断先端部や第２細束の細束ストランドの切断先端部を格納するための、ワイヤロープの撚りの方向と逆の方向に交差したかご差し状態で束ストランドや撚りの方向と同じ方向に巻回した巻差し状態で細束ストランドが編み込まれて編込み収納部を形成することになる。
すなわち、網目状になって交差した束ストランド及び螺旋状に巻回した細束ストランドが芯部領域の周囲を囲繞した編込み収納部により、ストランド切断先端部たるトゲを包み込んでワイヤロープの外部に突出できないように封止することができる効果がある。
そして、ワイヤロープの玉掛索として使用時に引張り応力や曲げ応力が掛かると、網目状になって交差した束ストランド及び螺旋状に巻回した細束ストランドが縮小することで、引張り応力や曲げ応力が大きいほど網目及び螺旋状に巻回した目がより緊密に小さくなり、間隙のない円周状の側壁いわゆる編込み収納部を形成した状態になるため、編込み収納部における芯部領域の空隙に束ストランド切断先端部および２組或は３組に束ねた細束ストランド切断先端部たるトゲを封じ込めてワイヤロープの外部に突出できないように完全に封入することができる効果がある。
【００４１】
請求項４に記載の発明によれば、ワイヤロープのループ基端部において、束ストランドを撚りストランド間に挿通するに際し、まず、第１編み込み工程においては、ワイヤロープの撚りと同じ方向の撚りに沿って束ストランドを撚りストランド間に挿通して編み込んでいき、この作業を複数回行い、次いで、第２編み込み工程において、ワイヤロープの撚りと同じ方向に沿って束ストランドを編み込んでいき、第３半差し編み込み工程において、ワイヤロープの撚られた各ストランドの間にワイヤロープの撚り方向と逆の方向に沿って第２細束よりなる６組の細束ストランドを編み込んで行くものである。
従って、束ストランド及び細束ストランドの編み込みにより、ワイヤロープの芯部領域中に押込んだ束ストランドの切断先端部及び細束ストランドの切断先端部を格納するための、ワイヤロープの撚りの方向と同じ方向に巻回した巻差し状態で束ストランドが編み込まれ編込み収納部を形成し、さらに、逆の方向に交差したかご差し状態で細束ストランドが編み込まれて編込み収納部を形成することになる。
すなわち、螺旋状に巻回した束ストランド及び網目状になって交差した細束ストランドが芯部領域の周囲を囲繞した編込み収納部により、ストランド切断先端部や細束ストランド切断先端部たるトゲを包み込んでワイヤロープの外部に突出できないように封止することができる効果がある。
そして、ワイヤロープの玉掛索として使用時に引張り応力や曲げ応力が掛かると、螺旋状に巻回した束ストランド及び網目状に交差した細束ストランドが縮小することで、引張り応力や曲げ応力が大きいほど螺旋状に巻回した目及び網目がより緊密に小さくなり、間隙のない円周状の側壁いわゆる編込み収納部を形成した状態になるため、編込み収納部における芯部領域の空隙に束ストランド切断先端部および２組或は３組に束ねた細束ストランド切断先端部たるトゲを封じ込めてワイヤロープの外部に突出できないように完全に封入することができる効果がある。
【００４２】
請求項５に記載の発明によれば、ワイヤロープのループ基端部において、束ストランドを撚りストランド間に挿通するに際し、まず、第１編み込み工程においては、ワイヤロープの撚りと同じ方向の撚りに沿って束ストランドを撚りストランド間に挿通して編み込んでいき、この作業を複数回行い、次いで、第２編み込み工程において、ワイヤロープの撚りと逆の方向に沿って束ストランドを編み込んでいき、第３半差し編み込み工程において、ワイヤロープの撚りと同じ方向に沿って第２細束よりなる６組の細束ストランドを編み込んで行くものである。
従って、束ストランドや第２細束の細束ストランドの編み込みにより、ワイヤロープの芯部領域中に押込んだ束ストランドの切断先端部や細束ストランドの切断先端部を格納するための、ワイヤロープの撚りの方向と同じ方向に巻回した状態及び逆の方向に交差した状態で束ストランドが編み込まれ編込み収納部を形成し、さらに巻差し状態で細束ストランドが編み込まれ編込み収納部を形成することになる。
すなわち、螺旋状に巻回した束ストランド及び網目状になって交差した束ストランド及び螺旋状に巻回した細束ストランドが芯部領域の周囲を囲繞した編込み収納部により、ストランドの切断先端部や細束ストランドの切断先端部たるトゲを包み込んでワイヤロープの外部に突出できないように封止することができる効果がある。
そして、ワイヤロープの玉掛索として使用時に引張り応力や曲げ応力が掛かると、螺旋状に巻回した束ストランドや細束ストランドも縮小することで、引張り応力や曲げ応力が大きいほど螺旋状に巻回した目がより緊密に小さくなり、さらに、網目状になって交差した束ストランドが縮小することで、引張り応力や曲げ応力が大きいほど網目がより緊密に小さくなり、間隙のない円周状の側壁いわゆる編込み収納部を形成した状態になるため、編込み収納部における芯部領域の空隙に束ストランド切断先端部および２組或は３組に束ねた細束ストランドの切断先端部たるトゲを封じ込めてワイヤロープの外部に突出できないように完全に封入することができる効果がある。
【００４３】
請求項６に記載の発明によれば、ワイヤロープのループ基端部において、束ストランドドを撚りストランド間に挿通するに際し、まず、第１編み込み工程においては、ワイヤロープの撚りと逆の方向の撚りに沿って束ストランドを撚りストランド間に挿通して編み込んでいき、この作業を複数回行い、次いで、第２編み込み工程において、ワイヤロープの撚りと同じ方向に沿って束ストランドを編み込んでいき、第３半差し編み込み工程において、ワイヤロープの撚りと逆の方向に沿って第２細束よりなる６組の細束ストランドを編み込んで行くものである。
従って、束ストランドや第２細束の細束ストランドの編み込みにより、ワイヤロープの芯部領域中に押込んだ束ストランドの切断先端部や細束ストランドの切断先端部を格納するための、ワイヤロープの撚りの方向と逆の方向に交差したかご差し状態及び同じ方向に巻回した巻差し状態で束ストランドが編み込まれ編込み収納部を形成し、さらにかご差し状態で細束ストランドが編み込まれて編込み収納部を形成することになる。
すなわち、網目状になって交差した束ストランド及び螺旋状に巻回した束ストランド及び網目状になって交差した細束ストランドが芯部領域の周囲を囲繞した編込み収納部により、ストランド切断先端部や細束ストランド切断先端部たるトゲを包み込んでワイヤロープの外部に突出できないように封止することができる効果がある。
そして、ワイヤロープの玉掛索として使用時に引張り応力や曲げ応力が掛かると、網目状になって交差した束ストランドや細束ストランドが縮小することで、引張り応力や曲げ応力が大きいほど網目がより緊密に小さくなり、さらに、螺旋状に巻回した束ストランドも縮小し、すなわち、引張り応力や曲げ応力が大きいほど螺旋状に巻回した目がより緊密に小さくなり、間隙のない円周状の側壁いわゆる編込み収納部を形成した状態になるため、編込み収納部における芯部領域の空隙に束ストランド切断先端部および２組或は３組に束ねた細束ストランド切断先端部たるトゲを封じ込めてワイヤロープの外部に突出できないように完全に封入することができる効果がある。
【００４４】
請求項７に記載の発明によれば、ワイヤロープのループ基端部において、束ストランドを撚りストランド間に挿通するに際し、まず、第１編み込み工程においては、ワイヤロープの撚りと逆の方向の撚りに沿って束ストランドを撚りストランド間に挿通して編み込んでいき、この作業を複数回行い、次いで、第２編み込み工程において、ワイヤロープの撚りと逆の方向に沿って束ストランドを編み込んでいき、第３半差し編み込み工程において、ワイヤロープの撚り方向と逆の方向に第２細束よりなる６組の細束ストランドを編み込んで行くものである。
従って、束ストランドや第２細束の細束ストランドの編み込みにより、ワイヤロープの芯部領域中に押込んだ束ストランドの切断先端部や第２細束の細束ストランドの切断先端部を格納するための、ワイヤロープの撚りの方向と逆の方向に交差したかご差し状態で束ストランドが編み込まれ編込み収納部を形成し、さらに、かご差し状態で細束ストランドが編み込まれて編込み収納部を形成することになる。
すなわち、網目状になって交差した束ストランドや細束ストランドが芯部領域の周囲を囲繞した編込み収納部により、ストランド切断先端部や細束ストランド切断先端部たるトゲを包み込んでワイヤロープの外部に突出できないように封止することができる効果がある。
そして、ワイヤロープの玉掛索として使用時に引張り応力や曲げ応力が掛かると、網目状になって交差した束ストランド及び細束ストランドが縮小することで、引張り応力や曲げ応力が大きいほど網目状に巻回した目がより緊密に小さくなり、間隙のない円周状の側壁いわゆる編込み収納部を形成した状態になるため、編込み収納部における芯部領域の空隙に束ストランド切断先端部および２組或は３組に束ねた細束ストランド切断先端部たるトゲを封じ込めてワイヤロープの外部に突出できないように完全に封入することができる効果がある。
【００４５】
請求項８に記載の発明によれば、ワイヤロープのループ基端部において、束ストランドを撚りストランド間に挿通するに際し、まず、第１編み込み工程においては、ワイヤロープの撚りと同じ方向の撚りに沿って束ストランドを撚りストランド間に挿通して編み込んでいき、この作業を複数回行い、次いで、第２編み込み工程において、ワイヤロープの撚りと同じ方向に沿って束ストランドを編み込んでいき、第３半差し編み込み工程において、ワイヤロープの撚り方向と同じ方向に第２細束よりなる６組の細束ストランドを編み込んで行くものである。
従って、束ストランドや第２細束の細束ストランドの編み込みにより、ワイヤロープの芯部領域中に押込んだ束ストランドの切断先端部や細束ストランドの切断先端部を格納するための、ワイヤロープの撚りの方向と同じ方向に巻回した巻差し状態で束ストランドが編み込まれ編込み収納部を形成し、さらに巻差し状態で細束ストランドが編み込まれて編込み収納部を形成することになる。
すなわち、螺旋状に巻回した束ストランド及び螺旋状に巻回した細束ストランドが芯部領域の周囲を囲繞した編込み収納部により、ストランド切断先端部や細束ストランド切断先端部たるトゲを包み込んでワイヤロープの外部に突出できないように封止することができる効果がある。
そして、ワイヤロープの玉掛索として使用時に引張り応力や曲げ応力が掛かると、螺旋状に巻回した束ストランドや細束ストランドも縮小することで、引張り応力や曲げ応力が大きいほど螺旋状に巻回した目がより緊密に小さくなり、間隙のない円周状の側壁いわゆる編込み収納部を形成した状態になるため、編込み収納部における芯部領域の空隙に束ストランド切断先端部および２組或は３組に束ねた細束ストランド切断先端部たるトゲを封じ込めてワイヤロープの外部に突出できないように完全に封入することができる効果がある。
【００４６】
請求項９に記載の発明によれば、その後、第１細束と第２細束とに分割した後の第２細束は、第３半差し編み込み工程において、ワイヤロープの撚りと同じ方向又は逆の方向で撚りストランド間に挿通して編み込んでいくものである。従って、第２細束の細束ストランドの編み込みにより、ワイヤロープの芯部領域の空隙中に押込んだ第２細束の細束ストランドの切断先端部を格納するための、ワイヤロープの撚りの方向と逆の方向に交差した状態又は同じ方向に巻回した状態で第２細束の細束ストランドが編み込まれて編込み収納部を形成することになる。
すなわち、網目状になって交差した第２細束の細束ストランド又は螺旋状に巻回した第２細束の細束ストランドが芯部領域の周囲を囲繞した編込み収納部により、細束ストランドの切断先端部たるトゲを包み込んでワイヤロープの外部に突出できないように封止することができる効果がある。
そして、ワイヤロープの玉掛索として使用時に引張り応力や曲げ応力が掛かると、網目状になって交差した第２細束の細束ストランドが縮小することで、引張り応力や曲げ応力が大きいほど網目がより緊密に小さくなり、又は、螺旋状に巻回した第２細束の細束ストランドが縮小することで、引張り応力や曲げ応力が大きいほど螺旋状に巻回した目がより緊密に小さくなり、間隙のない円周状の側壁いわゆる編込み収納部を形成した状態になるため、編込み収納部における芯部領域の空隙に束ストランド切断先端部および２組或は３組に束ねた細束ストランド切断先端部たるトゲを封じ込めてワイヤロープの外部に突出できないように完全に封入することができる効果がある。
【００４７】
請求項１０に記載の発明によれば、その後、内層線と外層線とに分別した後の外層線は、第３半差し編み込み工程において、ワイヤロープの撚りと同じ方向又は逆の方向で撚りストランド間に挿通して編み込んでいくものである。従って、外層線の細束ストランドの編み込みにより、ワイヤロープの芯部領域の空隙中に押込んだ細束ストランドの切断先端部を格納するための、ワイヤロープの撚りの方向と逆の方向に交差した状態又は同じ方向に巻回した状態で細束ストランドが編み込まれて編込み収納部を形成することになる。
すなわち、網目状になって交差した外層線の細束ストランド又は螺旋状に巻回した外層線の細束ストランドが芯部領域の周囲を囲繞した編込み収納部により、細束ストランド切断先端部たるトゲを包み込んでワイヤロープの外部に突出できないように封止することができる効果がある。
そして、ワイヤロープの玉掛索として使用時に引張り応力や曲げ応力が掛かると、網目状になって交差した外層線の細束ストランドが縮小することで、引張り応力や曲げ応力が大きいほど網目がより緊密に小さくなり、又は、螺旋状に巻回した外層線の細束ストランドが縮小することで、引張り応力や曲げ応力が大きいほど螺旋状に巻回した目がより緊密に小さくなり、間隙のない円周状の側壁いわゆる編込み収納部を形成した状態になるため、編込み収納部における芯部領域の空隙に束ストランド切断先端部および２組或は３組に束ねた細束ストランド切断先端部たるトゲを封じ込めてワイヤロープの外部に突出できないように完全に封入することができる効果がある。
【００４８】
請求項１１に記載の発明によれば、その後、内層線と外層線とに分別した後の内層線は、第３半差し編み込み工程において、ワイヤロープの撚りと同じ方向又は逆の方向で撚りストランド間に挿通して編み込んでいくものである。従って、内層線の細束ストランドの編み込みにより、ワイヤロープの芯部領域の空隙中に押込んだ内層線の細束ストランドの切断先端部を格納するための、ワイヤロープの撚りの方向と逆の方向に交差した状態又は同じ方向に巻回した状態で内層線の細束ストランドが編み込まれて編込み収納部を形成することになる。
すなわち、網目状になって交差した内層線の細束ストランド又は螺旋状に巻回した内層線の細束ストランドが芯部領域の周囲を囲繞した編込み収納部により、細束ストランド切断先端部たるトゲを包み込んでワイヤロープの外部に突出できないように封止することができる効果がある。
そして、ワイヤロープの玉掛索として使用時に引張り応力や曲げ応力が掛かると、網目状になって交差した内層線の細束ストランドが縮小することで、引張り応力が大きいほど網目がより緊密に小さくなり、又は、螺旋状に巻回した内層線の細束ストランドが縮小することで、引張り応力が大きいほど螺旋状に巻回した目がより緊密に小さくなり、間隙のない円周状の側壁いわゆる編込み収納部を形成した状態になるため、編込み収納部における芯部領域に束ストランド切断先端部および２組或は３組に束ねた細束ストランド切断先端部たるトゲを封じ込めてワイヤロープの外部に突出できないように完全に封入することができる効果がある。
【００４９】
請求項１２に記載の発明によれば、トゲのないワイヤロープの玉掛索製造方法により製造したトゲのないワイヤロープの玉掛索であるため、心綱と共にストランドの自由端も芯部領域の空隙中に戻すことにより、ワイヤロープの表面にストランドの切断部分が突出することなく、しかも、芯部領域の空洞部分を埋めることになり、使用時の安全性と共にワイヤロープの鋼性及び強度を飛躍的に向上しうる効果がある。
【図面の簡単な説明】
【００５０】
【図１】ワイヤロープの端部を示す分解斜視図である。
【図２】束ストランドをワイヤロープの撚りストランド間に通し抜き出す準備作業工程を示す図である。
【図３】第１実施形態におけるかご差しの第１編み込み工程を示す図である。
【図４】第１実施形態における第１編み込み工程終了後の状態を示す図である。
【図５】第１実施形態における巻差しの第２編み込み工程を示す図である。
【図６】第１実施形態における巻差しの第３半差し編み込み工程を示す図である。
【図７】第１実施形態における巻差しの第３半差し編み込み工程を示す図である。
【図８】第１実施形態における第２細束先端押込み工程を示す図である。
【図９】第２実施形態における第２編み込み工程終了後の状態を示す図である。
【図１０】第２実施形態における巻差しの第３半差し編み込み工程を示す図である。
【図１１】第２実施形態における巻差しの第３半差し編み込み工程を示す図である。
【図１２】第２実施形態における第２細束先端押込み工程を示す図である。
【図１３】第３実施形態における巻差しの第１編み込み工程を示す図である。
【図１４】第３実施形態におけるかご差しの第３半差し編み込み工程を示す図である。
【図１５】第３実施形態におけるかご差しの第３半差し編み込み工程を示す図である。
【図１６】第３実施形態における第２細束先端押込み工程を示す図である。
【図１７】第４実施形態におけるかご差しの第２編み込み工程を示す図である。
【図１８】第５実施形態におけるかご差しの第３半差し編み込み工程を示す図である。
【図１９】第５実施形態におけるかご差しの第３半差し編み込み工程を示す図である。
【図２０】第５実施形態における第２細束先端押込み工程を示す図である。
【図２１】第８実施形態における巻差しの第３半差し編み込み工程を示す図である。
【図２２】第８実施形態における巻差しの第３半差し編み込み工程を示す図である。
【図２３】第８実施形態における外層線先端押込み工程を示す図である。
【図２４】第９実施形態における巻差しの第３半差し編み込み工程を示す図である。
【図２５】第９実施形態における巻差しの第３半差し編み込み工程を示す図である。
【図２６】第９実施形態における外層線先端押込み工程を示す図である。
【図２７】第１０実施形態におけるかご差しの第３半差し編み込み工程を示す図である。
【図２８】第１０実施形態におけるかご差しの第３半差し編み込み工程を示す図である。
【図２９】第１０実施形態における外層線先端押込み工程を示す図である。
【図３０】第１２実施形態におけるかご差しの第３半差し編み込み工程を示す図である。
【図３１】第１２実施形態におけるかご差しの第３半差し編み込み工程を示す図である。
【図３２】第１２実施形態における外層線先端押込み工程を示す図である。
【図３３】第１５実施形態における巻差しの第３半差し編み込み工程を示す図である。
【図３４】第１５実施形態における巻差しの第３半差し編み込み工程を示す図である。
【図３５】第１５実施形態における内層線先端押込み工程を示す図である。
【図３６】第１６実施形態における巻差しの第３半差し編み込み工程を示す図である。
【図３７】第１６実施形態における巻差しの第３半差し編み込み工程を示す図である。
【図３８】第１６実施形態における内層線先端押込み工程を示す図である。
【図３９】第１７実施形態におけるかご差しの第３半差し編み込み工程を示す図である。
【図４０】第１７実施形態におけるかご差しの第３半差し編み込み工程を示す図である。
【図４１】第１７実施形態における内層線先端押込み工程を示す図である。
【図４２】第１９実施形態におけるかご差しの第３半差し編み込み工程を示す図である。
【図４３】第１９実施形態におけるかご差しの第３半差し編み込み工程を示す図である。
【図４４】第１９実施形態における内層線先端押込み工程を示す図である。
【図４５】他の準備作業工程を示す図である。
【図４６】かご差し作業終了後のワイヤロープと細束ストランドの状態を示めす斜視図である。
【図４７】１本の束ストランドを内外層線に分けた状態を示す斜視図である。
【図４８】ワイヤロープの心綱にスパイキを差し入れた状態を示す斜視図である。
【図４９】１組の細束ストランドをワイヤロープの本線に収納する状態を示す斜視図である。
【図５０】本ワイヤロープ玉掛索製造方法で製造したトゲのない玉掛ワイヤロープを示す平面図である。
【発明を実施するための最良の形態】
【００５１】
一般に、ワイヤロープを用いて手編み玉掛索を製作する方法として以下の技術が知られている。即ち、「巻差し方法」と「かご差し方法」が用いられる。このうち、「巻差し方法」は、ワイヤロープの先端をストランドの単位にばらばらに解舒して、そのストランドをワイヤロープの撚りストランドの間に通して、ワイヤロープの撚り方向と「同方向」に巻いていく方法である。
【００５２】
「かご差し方法」は、ワイヤロープの先端をストランドの単位に解舒して、その束ストランドをワイヤロープの撚りストランドの間に通して、ワイヤロープの撚り方向と「反対方向」に巻いていく方法である。
【００５３】
このように巻差し方法とかご差し方法とは、ワイヤロープの撚り方向と同一か反対かによって区別する。
【００５４】
これら巻差し及びかご差しの作業を用いることで、後述する本発明のトゲのないワイヤロープの玉掛索製造方法を行なうこととなる。
【００５５】
（１）本発明のトゲのないワイヤロープの玉掛索製造方法は、予め折り曲げられたワイヤロープ本体の自由端をストランド毎にばらばらに解舒してワイヤロープ先端部分に６組の束ストランドに形成する束ストランド形成工程と、束ストランド形成工程終了後に、ワイヤロープのループ部基端とすべき位置において、撚られた各ストランドの間に６組の束ストランドをそれぞれ別々にワイヤロープの撚り方向と同じ方向又は逆の方向に差し込んでワイヤロープ周面から突出させる編み込み作業を複数回行う巻差し又はかご差しの何れか一方の第１編み込み工程と、第１編み込み工程終了後に、撚られた各ストランドの間に差し込んだ前記６組の束ストランドをそれぞれ別々にワイヤロープの撚り方向と同じ方向又は逆の方向に差し込んでワイヤロープ周面から突出させる編み込み作業を行う巻差し又はかご差しの何れか一方の第２編み込み工程を行なう。
次いで、第２編み込み工程終了後に、突出した６組の各束ストランドの先端を更にそれぞれ２組の細束に分別し第１細束と第２細束として１２組の細束ストランドを形成する細束ストランド形成工程と、細束ストランド形成工程終了後に、第１細束よりなる６組の細束ストランドの突出先端を切断する第１細束切断工程と、第１細束切断工程終了後に、切断した第１細束である６組の細束ストランドの先端をワイヤロープの撚り束ストランドの中心に形成された芯部領域中心に押込む第１細束先端押込み工程と、第１細束先端押込み工程終了後に、第２細束よりなる６組の細束ストランドをワイヤロープの撚られた各ストランドの間にワイヤロープの撚り方向と同じ方向又は逆の方向に差し込んでワイヤロープ周面から突出させる編み込み作業を複数回行う巻差し又はかご差しの何れか一方の第３半差し編み込み工程を行なう。
次いで、第３半差し編み込み工程終了後に、突出した第２細束たる６組の各細束ストランドの突出先端を切断する第２細束切断工程と、第２細束切断工程終了後に、切断した第２細束たる６組の細束ストランドの先端を、ワイヤロープの撚りストランドの中心の芯部領域の空隙中に押込む第２細束先端押込み工程とよりなる。
【００５６】
さらに、本発明のトゲのないワイヤロープの玉掛索製造方法は、以下の（２）〜（１０）の特徴を有している。
【００５７】
（２）第１編み込み工程は、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しを行う工程よりなり、第２編み込み工程は、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程よりなり、第３半差し編み込み工程は、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しを行う工程よりなる。
【００５８】
（３）第１編み込み工程は、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しを行う工程よりなり、第２編み込み工程は、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しを行う工程よりなり、第３半差し編み込み工程は、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しを行う工程よりなる。
【００５９】
（４）第１編み込み工程は、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しを行う工程よりなり、第２編み込み工程は、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程よりなり、第３半差し編み込み工程は、第２細束よりなる６組の細束ストランドをワイヤロープの撚られた各ストランドの間にワイヤロープの撚り方向と逆の方向に差し込んでワイヤロープ周面から突出させる編み込み作業を複数回行うかご差しを行う工程よりなる。
【００６０】
（５）第１編み込み工程は、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しを行う工程よりなり、第２編み込み工程は、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しを行う工程よりなり、第３半差し編み込み工程は、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しを行う工程よりなる。
【００６１】
（６）第１編み込み工程は、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しを行う工程よりなり、第２編み込み工程は、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程よりなり、第３半差し編み込み工程は、第２細束よりなる６組の細束ストランドをワイヤロープの撚られた各ストランドの間にワイヤロープの撚り方向と逆の方向に差し込んでワイヤロープ周面から突出させる編み込み作業を複数回行うかご差しを行う工程よりなる。
【００６２】
（７）第１編み込み工程は、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業を複数回行うかご差しを行う工程よりなり、第２編み込み工程は、撚られた各ストランドの間に差し込んだ前記６組の束ストランドをそれぞれ別々にワイヤロープの撚り方向と逆の方向に差し込んでワイヤロープ周面から突出させる編み込み作業を行うかご差しを行う工程よりなり、第３半差し編み込み工程は、第２細束よりなる６組の細束ストランドをワイヤロープの撚られた各ストランドの間にワイヤロープの撚り方向と逆の方向に差し込んでワイヤロープ周面から突出させる編み込み作業を複数回行うかご差しを行う工程よりなる。
【００６３】
（８）第１編み込み工程は、ワイヤロープのループ部基端とすべき位置において、撚られた各ストランドの間に６組の束ストランドをそれぞれ別々にワイヤロープの撚り方向と同じ方向に差し込んでワイヤロープ周面から突出させる編み込み作業を複数回行う巻差しを行う工程よりなり、第２編み込み工程は、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程よりなり、第３半差し編み込み工程は、第２細束よりなる６組の細束ストランドをワイヤロープの撚られた各ストランドの間にワイヤロープの撚り方向と同じ方向に差し込んでワイヤロープ周面から突出させる編み込み作業を複数回行う巻差しを行う工程よりなる。
【００６４】
（９）細束ストランド形成工程は、突出した６組の各束ストランドの先端を更に２組の束に分割し、第１細束と第２細束とし、合計で１２組の細束ストランドを形成する工程よりなる。
【００６５】
（１０）細束ストランド形成工程は、突出した６組の各束ストランドの先端を第１細束としての内層線と第２細束としての外層線とに分別して１２組の細束ストランドを形成する工程よりなる。
【００６６】
（１１）細束ストランド形成工程は、突出した６組の各束ストランドの先端を第２細束としての内層線と第１細束としての外層線とに分別して１２組の細束ストランドを形成する工程よりなる。
【００６７】
（１２）上記（１）〜（１１）のトゲのないワイヤロープの玉掛索製造方法により製造したトゲのないワイヤロープの玉掛索が完成することとした。
【００６８】
以下、本願発明の玉掛索を製造する方法について図面に基づき説明する。
【００６９】
［第１実施形態］
本発明の第１実施形態のトゲのないワイヤロープの玉掛索製造方法は、束ストランド形成工程と、準備作業工程と、かご差しの第１編み込み工程と、巻差しの第２編み込み工程と、細束ストランド形成工程と、第１細束切断工程と、第１細束先端押込み工程と、巻差しの第３半差し編み込み工程と、第２細束切断工程と、第２細束先端押込み工程とよりなる。
【００７０】
I-a1.［束ストランド形成工程］
束ストランド形成工程について説明する。図１に示すように、先ずワイヤロープ１１の自由端部側に輪状のループ部１２を作る。
【００７１】
すなわち、ワイヤロープ１１の先端側を折り返し、折り返した先端側でループ部１２を構成すると同時に折り返したワイヤロープ１１の先端部分において、６組の束ストランド１〜６とその中心にある心綱７とをばらばらに分ける。
【００７２】
II-a1．［準備作業工程］
ここで、ワイヤロープ１１の本線１１ａの撚りストランドＡ〜Ｆ内に各束ストランド１〜６を通す作業（いわゆるかご差し方法による束ストランド挿通作業）の前段階としての準備作業工程を行う。すなわち、この準備作業工程は、地差し法による口入れと称するものであり、６組の各束ストランド１〜６を図２に示すように、撚りストランドＡ〜Ｆの適宜の間にスパイキ１４５を入れて、撚りストランドＡ〜Ｆ間の間隙に挿通する。この作業を図３に基づき詳説する。この工程は次工程のかご差しの第１編み込み工程を行うためにばらばらの束ストランド１〜６の根元を撚りストランドＡ〜Ｆに係合し固定して束ストランドのかご差しが弛緩しないようにするためのものである。
【００７３】
（１）束ストランド１をワイヤロープ１１の本線１１ａ側の撚りストランドＡ・Ｆの間から挿入して心綱７の左を通して撚りストランドＢ・Ｃの間を抜く。
【００７４】
（２）束ストランド２をワイヤロープ１１の本線１１ａ側の撚りストランドＡ・Ｆの間から挿入して心綱７の左を通して撚りストランドＣ・Ｄの間を抜く。
【００７５】
（３）束ストランド３をワイヤロープ１１の本線１１ａ側の撚りストランドＡ・Ｆの間から挿入して心綱７の右を通して撚りストランドＤ・Ｅの間を抜く。
【００７６】
（４）束ストランド４をワイヤロープ１１の本線１１ａ側の撚りストランドＡ・Ｆの間から挿入して心綱７の右を通して撚りストランドＥ・Ｆの間を抜く。ここで通したストランド４を締め込む。
【００７７】
（５）撚りストランドＡ・Ｆの間から撚りストランドＢ・Ｃの間にスパイキを差してストランドＡ・Ｆの間に心綱７を入れる。
【００７８】
（６）束ストランド５をワイヤロープ１１の本線１１ａ側の撚りストランドＢ・Ｃの間から挿入して撚りストランドＡ・Ｆの間を抜くと同時に、ストランドＡ〜Ｆの撚りを戻す。
【００７９】
（７）束ストランド６をワイヤロープ１１の本線１１ａ側の撚りストランドＡ・Ｆの間から挿入して撚りストランドＡ・Ｂの間に抜くと同時に、ストランドＡ〜Ｆの撚りを戻す。そして、ストランドＡ〜Ｆの撚りを戻した部分をハンマで軽く均す。
【００８０】
図２を用いて説明した地差し方法は、束ストランドを４対２に分けて撚りストランドに挿通したが、その他に束ストランドを５対１に分けて行う地差し方法と、束ストランドを３対３に分けて行う地差し方法があり、これらの方法においても本実施形態のワイヤロープの玉掛索を得るための準備作業工程となり得る。
【００８１】
他の実施例として上記地差し法による口入れ方法の他にフレミッシュ法による口入れ方法がある。ここでは、図４５に基づきフレミッシュ法を詳説する。なお、フレミッシュ法には、束ストランドを３対３の２組に分けて行う方法と、４対２の２組に分けて行う方法の２種類があり、ここでは、束ストランドを３対３の２組に分けて行う方法について説明する。
【００８２】
（１）例えば、ストランド１をワイヤロープ１１の本線１１ａ側の撚りストランドＡ・Ｂの間から挿入して撚りストランドＡ・Ｆの間を抜く。
【００８３】
（２）ストランド２をワイヤロープ１１の本線１１ａ側の撚りストランドＢ・Ｃの間から挿入して撚りストランドＡ・Ｂの間を抜く。
【００８４】
（３）ストランド３をワイヤロープ１１の本線１１ａ側の撚りストランドＣ・Ｄの間から挿入して撚りストランドＢ・Ｃの間を抜く。
【００８５】
（４）ストランド４をワイヤロープ１１の本線１１ａ側の撚りストランドＡ・Ｆの間から挿入して撚りストランドＥ・Ｆの間を抜く。
【００８６】
（５）ストランド５をワイヤロープ１１の本線１１ａ側の撚りストランドＥ・Ｆの間から挿入して撚りストランドＤ・Ｅの間を抜く。
【００８７】
（６）ストランド６をワイヤロープ１１の本線１１ａ側の撚りストランドＤ・Ｅの間から挿入して撚りストランドＣ・Ｄの間に抜く。
【００８８】
このように６組の各束ストランド１〜６がそれぞれ撚りストランドＡ〜Ｆ間に挿通された状態となりフレミッシュ法による口入れを完了する。
【００８９】
III-a1．［かご差しの第１編み込み工程］
このように６組の各束ストランド１〜６がそれぞれ撚りストランドＡ〜Ｆ間に挿通され準備作業工程が終了した後（図２参照）に、以下に示すかご差し方法による６組の各束ストランド１〜６の挿通作業が行われる。
【００９０】
（１）例えば、図３に示すように、１組目の束ストランド１をワイヤロープ１１の本線１１ａ側の撚りストランドＡ・Ｂの間から挿入して撚りストランドＥ・Ｆの間を抜く。ここで通した束ストランド１を締め込む。
【００９１】
（２）２組目の束ストランド２をワイヤロープ１１の本線１１ａ側の撚りストランドＢ・Ｃの間から挿入して撚りストランドＡ・Ｆの間を抜く。ここで通した束ストランド２を締め込む。
【００９２】
（３）３組目の束ストランド３をワイヤロープ１１の本線１１ａ側の撚りストランドＣ・Ｄの間から挿入して撚りストランドＡ・Ｂの間を抜く。ここで通した束ストランド３を締め込む。
【００９３】
（４）４組目の束ストランド４をワイヤロープ１１の本線１１ａ側の撚りストランドＤ・Ｅの間から挿入して撚りストランドＢ・Ｃの間を抜く。ここで通したストランド４を締め込む。
【００９４】
（５）５組目の束ストランド５をワイヤロープ１１の本線１１ａ側の撚りストランドＥ・Ｆの間から挿入して撚りストランドＣ・Ｄの間を抜く。ここで通した束ストランド５を締め込む。
【００９５】
（６）６組目の束ストランド６をワイヤロープ１１の本線１１ａ側の撚りストランドＡ・Ｆの間から挿入して撚りストランドＤ・Ｅの間に抜くと同時に、ストランドＡ〜Ｆの撚りを戻す。ここで通した束ストランド６を締め込む。
【００９６】
このようにして１回目の６組の束ストランド１〜６のかご差し方法による挿通作業が完了する。
【００９７】
次に、同じ手順（１）〜（６）で、２回目のかご差し方法による挿通作業が行われ、６組の束ストランド１〜６のかご差し方法による挿通作業が完了する。
【００９８】
さらに、同じ手順（１）〜（６）で、３回目のかご差し方法による挿通作業が行われ、６組の束ストランド１〜６のかご差し方法による挿通作業が完了する。すなわち、図４に示すように、１組目の束ストランド１は、ワイヤロープ１１の本線１１ａ側の撚りストランドＥ・Ｆの間から抜き出し、さらに、２組目の束ストランド２は、ワイヤロープ１１の本線１１ａ側の撚りストランドＡ・Ｆの間から抜き出し、さらにまた、３組目の束ストランド３は、ワイヤロープ１１の本線１１ａ側の撚りストランドＡ・Ｂの間から抜き出し、さらに、４組目の束ストランド４は、ワイヤロープ１１の本線１１ａ側の撚りストランドＢ・Ｃの間から抜き出し、さらにまた、５組目の束ストランド５は、ワイヤロープ１１の本線１１ａ側の撚りストランドＣ・Ｄの間から抜き出し、さらに、６組目の束ストランド６は、ワイヤロープ１１の本線１１ａ側の撚りストランドＤ・Ｅの間から抜き出した態様となる。そして、この態様から、次の巻差しの第２編み込み工程を行う。
【００９９】
なお、１回目〜３回目のかご差し方法による挿通作業においては、１回目の束ストランド１は、ワイヤロープの撚りの第１旋回目部分における撚りストランドＡ・Ｂ間から撚りストランドＥ・Ｆ間の間隙に挿通されるものであり、２回目の束ストランド１は、撚りの第２旋回目部分における撚りストランドＤ・Ｅ間から撚りストランドＢ・Ｃ間の間隙に挿通されるものであり、３回目の束ストランド１は、撚りの第３旋回目部分における撚りストランドＡ・Ｂ間から撚りストランドＥ・Ｆ間の間隙に挿通されるものである。
【０１００】
従って、撚りの第１旋回目部分の上手側に、撚りの第２旋回目部分があり、更にその上手側に撚りの第３旋回目部分が位置し、各旋回目毎に１組目の束ストランド１が挿通される。
【０１０１】
かかる手順は、２組目の束ストランド２においても同じように撚りの第１旋回目部分、第２旋回目部分、第３旋回目部分にそれぞれ挿通される。
【０１０２】
以下、３組目以下も同じように６組目までの束ストランド３〜６が各旋回目部分に挿通されて、各組の束ストランド３〜６の３回のかご差し作業が完了する。
【０１０３】
IV-a1．［巻差しの第２編み込み工程］
次いで、各組の束ストランド１〜６を「巻差し方法」による作業で撚りストランド間に挿通する。
【０１０４】
すなわち、ワイヤロープの撚りと同じ方向に巻いていく巻差し方法を１回のみ実施する巻差し工程を行う。図５に示すのは１回のみ行う巻差し方法による各組の束ストランド１〜６の挿通状態である。以下詳説する。
【０１０５】
（１）例えば、図５に示すように、１組目の束ストランド１をワイヤロープ１１の本線１１ａ側の撚りストランドＡ・Ｆの間から挿入して撚りストランドＥ・Ｆの間を抜く。
【０１０６】
（２）２組目の束ストランド２をワイヤロープ１１の本線１１ａ側の撚りストランドＡ・Ｂの間から挿入して撚りストランドＡ・Ｆの間を抜く。
【０１０７】
（３）３組目の束ストランド３をワイヤロープ１１の本線１１ａ側の撚りストランドＢ・Ｃの間から挿入して撚りストランドＡ・Ｂの間を抜く。
【０１０８】
（４）４組目の束ストランド４をワイヤロープ１１の本線１１ａ側の撚りストランドＣ・Ｄの間から挿入して撚りストランドＢ・Ｃの間を抜く。
【０１０９】
（５）５組目の束ストランド５をワイヤロープ１１の本線１１ａ側の撚りストランドＤ・Ｅの間から挿入して撚りストランドＣ・Ｄの間を抜く。
【０１１０】
（６）６組目の束ストランド６をワイヤロープ１１の本線１１ａ側の撚りストランドＥ・Ｆの間から挿入して撚りストランドＤ・Ｅの間に抜く。
【０１１１】
このようにワイヤーロープの撚りストランドに束ストランドを編み込むことで編込み収納部が形成されることとなる。
【０１１２】
V-a1．［細束ストランド形成工程］
以上で６組の束ストランド１〜６は、かご差し、巻差しの各方法による撚りストランドＡ〜Ｆへの挿通作業が完了する。そして、束ストランド１〜６の各突出端を更に２組の束に分割し、第１細束と第２細束とする。すなわち、第１細束の細束ストランド１ｃ〜６ｃと、第２細束の細束ストランド１ｄ〜６ｄとに２分割する細束ストランド形成工程を行う。
【０１１３】
VI-a1．［第１細束切断工程］
６組の束ストランド１〜６の第１細束の細束ストランド１ｃ〜６ｃは、ワイヤロープ表面の位置で切断する第１細束切断工程を行い、６組の第２細束、すなわち６組の細束ストランド１ｄ〜６ｄを残す（図６参照）。このとき、撚りストランドＡ〜Ｆ間から心綱７を引き出し切断して、同撚りストランドＡ〜Ｆの中心部の心綱７の一部を抜いた箇所に芯部領域の空隙１１ｂを形成する。
【０１１４】
VII-a1．［第１細束先端押込み工程］
切断された６組の第１細束の細束ストランド１ｃ〜６ｃの先端切断部分、いわゆる第１細束トゲ６本は、撚りストランドＡ〜Ｆの中心部の心綱７の一部を抜いて生じた芯部領域の空隙１１ｂ中に押し込む第１細束先端押込み工程を行う（図６参照）。このとき束ストランドが芯部領域の周囲を囲繞した編込み収納部により、ストランド切断先端部たるトゲを包み込んだ状態となる。
【０１１５】
VIII-a1．［巻差しの第３半差し編み込み工程］
突出したままのかかる第２細束の細束ストランド１ｄ〜６ｄは、半差しによる巻差し方法による作業で撚りストランドＡ〜Ｆ間に挿通する第３半差し編み込み工程を行う。すなわち、図６に示すように１組目〜６組目の第２細束の細束ストランド１ｄ〜６ｄは、所定の撚りストランドＡ〜Ｆ間に、撚りと同じ方向に巻回しながら挿通する。
【０１１６】
（１）例えば、図６に示すように、１組目の第２細束の細束ストランド１ｄをワイヤロープ１１の本線１１ａ側の撚りストランドＡ・Ｆの間から挿入して撚りストランドＥ・Ｆの間を抜く。
【０１１７】
（２）２組目の第２細束の細束ストランド２ｄをワイヤロープ１１の本線１１ａ側の撚りストランドＡ・Ｂの間から挿入して撚りストランドＡ・Ｆの間を抜く。
【０１１８】
（３）３組目の第２細束の細束ストランド３ｄをワイヤロープ１１の本線１１ａ側の撚りストランドＢ・Ｃの間から挿入して撚りストランドＡ・Ｂの間を抜く。
【０１１９】
（４）４組目の第２細束の細束ストランド４ｄをワイヤロープ１１の本線１１ａ側の撚りストランドＣ・Ｄの間から挿入して撚りストランドＢ・Ｃの間を抜く。
【０１２０】
（５）５組目の第２細束の細束ストランド５ｄをワイヤロープ１１の本線１１ａ側の撚りストランドＤ・Ｅの間から挿入して撚りストランドＣ・Ｄの間を抜く。
【０１２１】
（６）６組目の第２細束の細束ストランド６ｄをワイヤロープ１１の本線１１ａ側の撚りストランドＥ・Ｆの間から挿入して撚りストランドＤ・Ｅの間に抜く。
【０１２２】
以上で６組の第２細束の細束ストランド１ｄ〜６ｄは、巻差しの方法による撚りストランドＡ〜Ｆへの１回目の挿通作業が完了する。
【０１２３】
次に、同じ手順で６組の第２細束の細束ストランド１ｄ〜６ｄの２回目の巻差し方法による作業が行われる。図７を基に詳説する。
【０１２４】
（１）例えば、図７に示すように、１組目の第２細束の細束ストランド１ｄをワイヤロープ１１の本線１１ａ側の撚りストランドＡ・Ｆの間から挿入して撚りストランドＥ・Ｆの間を抜く。
【０１２５】
（２）２組目の第２細束の細束ストランド２ｄをワイヤロープ１１の本線１１ａ側の撚りストランドＡ・Ｂの間から挿入して撚りストランドＡ・Ｆの間を抜く。
【０１２６】
（３）３組目の第２細束の細束ストランド３ｄをワイヤロープ１１の本線１１ａ側の撚りストランドＢ・Ｃの間から挿入して撚りストランドＡ・Ｂの間を抜く。
【０１２７】
（４）４組目の第２細束の細束ストランド４ｄをワイヤロープ１１の本線１１ａ側の撚りストランドＣ・Ｄの間から挿入して撚りストランドＢ・Ｃの間を抜く。
【０１２８】
（５）５組目の第２細束の細束ストランド５ｄをワイヤロープ１１の本線１１ａ側の撚りストランドＤ・Ｅの間から挿入して撚りストランドＣ・Ｄの間を抜く。
【０１２９】
（６）６組目の第２細束の細束ストランド６ｄをワイヤロープ１１の本線１１ａ側の撚りストランドＥ・Ｆの間から挿入して撚りストランドＤ・Ｅの間に抜く。
【０１３０】
以上で６組の第２細束の細束ストランド１ｄ〜６ｄは、巻差しの各方法による撚りストランドＡ〜Ｆへの２回目の挿通作業が完了する。
【０１３１】
このようにワイヤーロープの撚りストランドに細束ストランドを編み込むことで編込み収納部が形成されることとなる。
【０１３２】
以上の第３半差し編み込み工程において、半差しにおける巻差し作業は２回行われるが、特に２回に限定されるものではなく２回以上であってもよい。
【０１３３】
IX-a1．［第２細束切断工程及び第２細束先端押込み工程］
２〜３回の巻差しの作業が終了するとワイヤロープ表面位置において突出した６組の第２細束の細束ストランド１ｄ〜６ｄを切断する第２細束切断工程を行う。切断した第２細束の切断部分は、撚りストランドＡ〜Ｆの芯部領域の空隙１１ｂ中に押込む第２細束先端押込み工程を行う。
【０１３４】
例えば、図８に示すように、６組の第２細束の各細束ストランド１ｄ〜６ｄのうち２組ずつを束ねて根元をテーピングし、新たに３組のテーピングストランド束を形成し、その後、テーピングの先端から突出した細束ストランドを切断して３組のテーピング束ストランドの先端部分を芯部領域の空隙１１ｂ内に差し込む。そして、外部に引出していた心綱７を芯部領域の空隙１１ｂに戻す。この編込み収納部における芯部領域の空隙に２組に束ねたテーピング束ストランドの先端部分たるトゲを封じ込めてワイヤロープの外部に突出できないように完全に封入することができる。このとき、細束ストランドを２組ずつ束ねると、束ストランドの直径と略同一径となり、芯部領域の空隙からワイヤーロープの外部への突出できなくすることができる。そして、一旦外部に引出した切断芯線を、芯部領域の空隙に戻すことによりその空隙をなくし、２組或は３組に束ねた細束ストランド切断先端部たるトゲの方向をワイヤーロープの長手方向に揃えてワイヤーロープの外部への突出を防止することができる。
【０１３５】
なお、図８で説明した６組の第２細束の細束ストランド１ｄ〜６ｄを２本ずつ束ねて芯部領域の空隙１１ｂに収めるようにしたが、６組の第２細束の細束ストランドを３本ずつ束ねて芯部領域の空隙１１ｂに収めるようにしてもよい。
【０１３６】
以上のＩ-a1〜ＩＸ-a1の各工程を経て、トゲなしのワイヤロープ玉掛索が完成する（図５０参照）。
【０１３７】
［第２実施形態］
本発明の第２実施形態のトゲのないワイヤロープの玉掛索製造方法は、束ストランド形成工程と、準備作業工程と、かご差しの第１編み込み工程と、かご差しの第２編み込み工程と、細束ストランド形成工程と、第１細束切断工程と、第１細束先端押込み工程と、巻差しの第３半差し編み込み工程と、第２細束切断工程と、第２細束先端押込み工程とよりなる。
【０１３８】
なお、本願発明の第２実施形態のトゲのないワイヤロープの玉掛索製造方法は、上述した第１実施形態の玉掛索製造方法におけるI-a1.束ストランド形成工程〜III-a1.かご差しの第１編み込み工程まで同様に行い、その後の各工程が次ぎのように異なる。すなわち、各工程は、IV-b1.かご差しの第２編み込み工程と、V-b1.細束ストランド形成工程と、VI-b1.第１細束切断工程と、VII-b1.第１細束先端押込み工程と、VIII-b1.巻差しの第３半差し編み込み工程と、IX-b1.第２細束切断工程と第２細束先端押込み工程とにおいて異なることとなることとなる。
【０１３９】
本願発明の第２実施形態の玉掛索製造方法における束ストランド形成工程〜かご差しの第１編み込み工程までの説明については、上述した第１実施形態の玉掛索製造方法におけるI-a1.束ストランド形成工程〜III-a1.かご差しの第１編み込み工程と同一であり重複説明を省略する。
【０１４０】
IV-b1．［かご差しの第２編み込み工程］
次いで、各組の束ストランド１〜６を「かご差し方法」による作業で撚りストランド間に挿通する。
【０１４１】
すなわち、ワイヤロープの撚りと逆の方向に巻いていくかご差し方法を１回のみ実施するかご差し工程を行う（上記図３における説明の手順参照）。
【０１４２】
（１）例えば、１組目の束ストランド１をワイヤロープ１１の本線１１ａ側の撚りストランドＤ・Ｅの間から挿入して撚りストランドＢ・Ｃの間を抜く。
【０１４３】
（２）２組目の束ストランド２をワイヤロープ１１の本線１１ａ側の撚りストランドＥ・Ｆの間から挿入して撚りストランドＣ・Ｄの間を抜く。
【０１４４】
（３）３組目の束ストランド３をワイヤロープ１１の本線１１ａ側の撚りストランドＡ・Ｆの間から挿入して撚りストランドＤ・Ｅの間を抜く。
【０１４５】
（４）４組目の束ストランド４をワイヤロープ１１の本線１１ａ側の撚りストランドＡ・Ｂの間から挿入して撚りストランドＥ・Ｆの間を抜く。
【０１４６】
（５）５組目の束ストランド５をワイヤロープ１１の本線１１ａ側の撚りストランドＢ・Ｃの間から挿入して撚りストランドＡ・Ｆの間を抜く。
【０１４７】
（６）６組目の束ストランド６をワイヤロープ１１の本線１１ａ側の撚りストランドＣ・Ｄの間から挿入して撚りストランドＡ・Ｂの間に抜く。
【０１４８】
このようにワイヤーロープの撚りストランドに束ストランドを編み込むことで編込み収納部が形成されることとなる。
【０１４９】
図９に示すように、６組の束ストランド１〜６は、かご差しの方法による撚りストランドＡ〜Ｆへの挿通作業が完了する。
【０１５０】
V-b1．［細束ストランド形成工程］
以上で６組の束ストランド１〜６は、３回のかご差し、１回のかご差しの各方法による撚りストランドＡ〜Ｆへの挿通作業が完了する。そして、束ストランド１〜６の各突出端を更に２組の束に分割し、第１細束と第２細束とする。すなわち、第１細束の細束ストランド１ｃ〜６ｃと、第２細束の細束ストランド１ｄ〜６ｄとに２分割する細束ストランド形成工程を行う。
【０１５１】
VI-b1．［第１細束切断工程］
６組の束ストランド１〜６の第１細束の細束ストランド１ｃ〜６ｃは、ワイヤロープ表面の位置で切断する第１細束切断工程を行い、６組の第２細束、すなわち６組の細束ストランド１ｄ〜６ｄを残す（図１０参照）。このとき、撚りストランドＡ〜Ｆ間から心綱７を引き出し切断して、同撚りストランドＡ〜Ｆの中心部の心綱７の一部を抜いた箇所に芯部領域の空隙１１ｂを形成する。
【０１５２】
VII-b1．［第１細束先端押込み工程］
切断された６組の第１細束の細束ストランド１ｃ〜６ｃの先端切断部分、いわゆる第１細束トゲ６本は、撚りストランドＡ〜Ｆの中心部の心綱７の一部を抜いて生じた芯部領域の空隙１１ｂ中に押し込む第１細束先端押込み工程を行う。このとき束ストランドが芯部領域の周囲を囲繞した編込み収納部により、ストランド切断先端部たるトゲを包み込んだ状態となる。
【０１５３】
VIII-b1．［巻差しの第３半差し編み込み工程］
突出したままのかかる第２細束の細束ストランド１ｄ〜６ｄは、半差しによる巻差し方法による作業で撚りストランドＡ〜Ｆ間に挿通する巻差しの第３半差し編み込み工程を行う。すなわち、図１０に示すように１組目〜６組目の第２細束の細束ストランド１ｄ〜６ｄは、所定の撚りストランドＡ〜Ｆ間に、撚りと同じ方向に巻回しながら挿通する。
【０１５４】
（１）例えば、図１０に示すように、１組目の第２細束の細束ストランド１ｄをワイヤロープ１１の本線１１ａ側の撚りストランドＣ・Ｄの間から挿入して撚りストランドＢ・Ｃの間を抜く。
【０１５５】
（２）２組目の第２細束の細束ストランド２ｄをワイヤロープ１１の本線１１ａ側の撚りストランドＤ・Ｅの間から挿入して撚りストランドＣ・Ｄの間を抜く。
【０１５６】
（３）３組目の第２細束の細束ストランド３ｄをワイヤロープ１１の本線１１ａ側の撚りストランドＥ・Ｆの間から挿入して撚りストランドＤ・Ｅの間を抜く。
【０１５７】
（４）４組目の第２細束の細束ストランド４ｄをワイヤロープ１１の本線１１ａ側の撚りストランドＡ・Ｆの間から挿入して撚りストランドＥ・Ｆの間を抜く。
【０１５８】
（５）５組目の第２細束の細束ストランド５ｄをワイヤロープ１１の本線１１ａ側の撚りストランドＡ・Ｂの間から挿入して撚りストランドＡ・Ｆの間を抜く。
【０１５９】
（６）６組目の第２細束の細束ストランド６ｄをワイヤロープ１１の本線１１ａ側の撚りストランドＢ・Ｃの間から挿入して撚りストランドＡ・Ｂの間に抜く。
【０１６０】
以上で６組の第２細束の細束ストランド１ｄ〜６ｄは、巻差しの各方法による撚りストランドＡ〜Ｆへの１回目の挿通作業が完了する。
【０１６１】
次に、図１１に示すように、上記（１）〜（６）と同じ手順で６組の第２細束の細束ストランド１ｄ〜６ｄの２回目の巻差し方法による作業が行われる。
【０１６２】
そして、６組の第２細束の細束ストランド１ｄ〜６ｄは、巻差しの各方法による撚りストランドＡ〜Ｆへの２回目の挿通作業が完了する。
【０１６３】
このようにワイヤーロープの撚りストランドに細束ストランドを編み込むことで編込み収納部が形成されることとなる。
【０１６４】
以上の巻差しの第３半差し編み込み工程において、半差しにおける巻差し作業は２回行われるが、特に２回に限定されるものではなく２回以上であってもよい。
【０１６５】
IX-b1．［第２細束切断工程及び第２細束先端押込み工程］
２〜３回の巻差しの作業が終了するとワイヤロープ表面位置において突出した６組の第２細束の細束ストランド１ｄ〜６ｄを切断する第２細束切断工程を行う。切断した第２細束の切断部分は、撚りストランドＡ〜Ｆの芯部領域の空隙１１ｂ中に押込む第２細束先端押込み工程を行う。
【０１６６】
例えば、図１２に示すように、６組の第２細束の各細束ストランド１ｄ〜６ｄのうち２組ずつを束ねて根元をテーピングし、新たに３組のテーピングストランド束を形成し、その後、テーピングの先端から突出した細束ストランドを切断して３組のテーピング束ストランドの先端部分を芯部領域の空隙１１ｂ内に差し込む。そして、外部に引出していた心綱７を芯部領域の空隙１１ｂに戻す。この編込み収納部における芯部領域の空隙に２組に束ねたテーピング束ストランドの先端部分たるトゲを封じ込めてワイヤロープの外部に突出できないように完全に封入することができる。このとき、細束ストランドを２組ずつ束ねると、束ストランドの直径と略同一径となり、芯部領域の空隙からワイヤーロープの外部への突出できなくすることができる。そして、一旦外部に引出した切断芯線を、芯部領域の空隙に戻すことによりその空隙をなくし、２組或は３組に束ねた細束ストランド切断先端部たるトゲの方向をワイヤーロープの長手方向に揃えてワイヤーロープの外部への突出を防止することができる。
【０１６７】
なお、図１２で説明した６組の第２細束の細束ストランド１ａ〜６ａを２本ずつ束ねて芯部領域の空隙１１ｂに収めるようにしたが、６組の第２細束の細束ストランドを３本ずつ束ねて芯部領域の空隙１１ｂに収めるようにしてもよい。
【０１６８】
以上のI-a1〜III-a1、IV-b1〜IX-b1の各工程を経て、トゲなしのワイヤロープ玉掛索が完成する（図５０参照）。
【０１６９】
［第３実施形態］
本発明の第３実施形態のトゲのないワイヤロープの玉掛索製造方法は、束ストランド形成工程と、準備作業工程と、巻差しの第１編み込み工程と、巻差しの第２編み込み工程と、細束ストランド形成工程と、第１細束切断工程と、第１細束先端押込み工程と、かご差しの第３半差し編み込み工程と、第２細束切断工程と、第２細束先端押込み工程とよりなる。
【０１７０】
なお、本願発明の第３実施形態のトゲのないワイヤロープの玉掛索製造方法は、上述した第１実施形態の玉掛索製造方法におけるI-a1.束ストランド形成工程、II-a1.準備作業工程まで同様に行い、その後の各工程が次ぎのように異なる。すなわち、各工程は、III-c1.巻差しの第１編み込み工程と、IV-c1．巻差しの第２編み込み工程、V-c1．細束ストランド形成工程VI-c1.第１細束切断工程と、VII-c1.第１細束先端押込み工程と、VIII-c1.かご差しの第３半差し編み込み工程と、IX-c1.第２細束切断工程と第２細束先端押込み工程とにおいて異なることとなる。
【０１７１】
本願発明の第３実施形態の玉掛索製造方法における束ストランド形成工程〜細束ストランド形成工程までの説明については、上述した第１実施形態の玉掛索製造方法におけるI-a1.束ストランド形成工程〜II-a1.準備作業工程と同一であり重複説明を省略する。
【０１７２】
III-c1．［巻差しの第１編み込み工程］
このように６組の各束ストランド１〜６がそれぞれ撚りストランドＡ〜Ｆ間に挿通され準備作業工程が終了した後（図２参照）に、以下に示す巻差し方法による６組の各束ストランド１〜６の挿通作業が行われる。
【０１７３】
（１）例えば、図１３に示すように、１組目の束ストランド１をワイヤロープ１１の本線１１ａ側の撚りストランドＣ・Ｄの間から挿入して撚りストランドＢ・Ｃの間を抜く。ここで通した束ストランド１を締め込む。
【０１７４】
（２）２組目の束ストランド２をワイヤロープ１１の本線１１ａ側の撚りストランドＤ・Ｅの間から挿入して撚りストランドＣ・Ｄの間を抜く。ここで通した束ストランド２を締め込む。
【０１７５】
（３）３組目の束ストランド３をワイヤロープ１１の本線１１ａ側の撚りストランドＥ・Ｆの間から挿入して撚りストランドＤ・Ｅの間を抜く。ここで通した束ストランド３を締め込む。
【０１７６】
（４）４組目の束ストランド４をワイヤロープ１１の本線１１ａ側の撚りストランドＡ・Ｆの間から挿入して撚りストランドＥ・Ｆの間を抜く。ここで通したストランド４を締め込む。
【０１７７】
（５）５組目の束ストランド５をワイヤロープ１１の本線１１ａ側の撚りストランドＡ・Ｂの間から挿入して撚りストランドＡ・Ｆの間を抜く。ここで通した束ストランド５を締め込む。
【０１７８】
（６）６組目の束ストランド６をワイヤロープ１１の本線１１ａ側の撚りストランドＢ・Ｃの間から挿入して撚りストランドＡ・Ｂの間に抜くと同時に、ストランドＡ〜Ｆの撚りを戻す。ここで通した束ストランド６を締め込む。
【０１７９】
このようにして１回目の６組の束ストランド１〜６の巻差し方法による挿通作業が完了する。
【０１８０】
次に、同じ手順（１）〜（６）で、２回目の巻差し方法による挿通作業が行われ、６組の束ストランド１〜６の巻差し方法による挿通作業が完了する。
【０１８１】
さらに、同じ手順（１）〜（６）で、３回目の巻差し方法による挿通作業が行われ、６組の束ストランド１〜６の巻差し方法による挿通作業が完了する。
【０１８２】
なお、１回目〜３回目の巻差し方法による挿通作業においては、１回目の束ストランド１は、ワイヤロープの撚りの第１旋回目部分における撚りストランドＣ・Ｄ間から撚りストランドＢ・Ｃ間の間隙に挿通されるものであり、２回目の束ストランド１は、撚りの第２旋回目部分における撚りストランドＣ・Ｄ間から撚りストランドＢ・Ｃ間の間隙に挿通されるものであり、３回目の束ストランド１は、撚りの第３旋回目部分における撚りストランドＣ・Ｄ間から撚りストランドＢ・Ｃ間の間隙に挿通されるものである。
【０１８３】
従って、撚りの第１旋回目部分の上手側に、撚りの第２旋回目部分があり、更にその上手側に撚りの第３旋回目部分が位置し、各旋回目毎に１組目の束ストランド１が挿通される。
【０１８４】
かかる手順は、２組目以下も同じように６組目までの束ストランド２〜６が各旋回目部分に挿通されて、各組の束ストランド２〜６の３回の巻差し作業が完了する。
【０１８５】
IV-c1．［巻差しの第２編み込み工程］
次いで、各組の束ストランド１〜６を「巻差し方法」による作業で撚りストランド間に挿通する。
【０１８６】
すなわち、ワイヤロープの撚りと同じ方向に巻いていく巻差し方法を１回のみ実施する巻差しの第２編み込み工程を行う。すなわち、上記同じ手順（１）〜（６）で、巻差し方法による挿通作業が行われ、６組の束ストランド１〜６の巻差し方法による挿通作業が完了する。
【０１８７】
このようにワイヤーロープの撚りストランドに束ストランドを編み込むことで編込み収納部が形成されることとなる。
【０１８８】
V-c1．［細束ストランド形成工程］
以上で６組の束ストランド１〜６は、３回の巻差し、１回の巻差しの各方法による撚りストランドＡ〜Ｆへの挿通作業が完了する。そして、束ストランド１〜６の各突出端を更に２組の束に分割し、第１細束と第２細束とする。すなわち、第１細束の細束ストランド１ｃ〜６ｃと、第２細束の細束ストランド１ｄ〜６ｄとに２分割する細束ストランド形成工程を行う。
【０１８９】
VI-c1．［第１細束切断工程］
６組の束ストランド１〜６の第１細束の細束ストランド１ｃ〜６ｃは、ワイヤロープ表面の位置で切断する第１細束切断工程を行い、６組の第２細束、すなわち６組の細束ストランド１ｄ〜６ｄを残す（図１４参照）。このとき、撚りストランドＡ〜Ｆ間から心綱７を引き出し切断して、同撚りストランドＡ〜Ｆの中心部の心綱７の一部を抜いた箇所に芯部領域の空隙１１ｂを形成する。
【０１９０】
VII-c1．［第１細束先端押込み工程］
切断された６組の第１細束の細束ストランド１ｃ〜６ｃの先端切断部分、いわゆる第１細束トゲ６本は、撚りストランドＡ〜Ｆの中心部の心綱７の一部を抜いて生じた芯部領域の空隙１１ｂ中に押し込む第１細束先端押込み工程を行う。このとき束ストランドが芯部領域の周囲を囲繞した編込み収納部により、ストランド切断先端部たるトゲを包み込んだ状態となる。
【０１９１】
VIII-c1．［かご差しの第３半差し編み込み工程］
突出したままのかかる第２細束の細束ストランド１ｄ〜６ｄは、半差しによるかご差し方法による作業で撚りストランドＡ〜Ｆ間に挿通する巻差しの第３半差し編み込み工程を行う。すなわち、１組目〜６組目の第２細束の細束ストランド１ｄ〜６ｄは、所定の撚りストランドＡ〜Ｆ間に、撚りと逆の方向に巻回しながら挿通する。
【０１９２】
（１）例えば、図１４に示すように、１組目の第２細束の細束ストランド１ｄをワイヤロープ１１の本線１１ａ側の撚りストランドＡ・Ｂの間から挿入して撚りストランドＥ・Ｆの間を抜く。
【０１９３】
（２）２組目の第２細束の細束ストランド２ｄをワイヤロープ１１の本線１１ａ側の撚りストランドＢ・Ｃの間から挿入して撚りストランドＡ・Ｆの間を抜く。
【０１９４】
（３）３組目の第２細束の細束ストランド３ｄをワイヤロープ１１の本線１１ａ側の撚りストランドＣ・Ｄの間から挿入して撚りストランドＡ・Ｂの間を抜く。
【０１９５】
（４）４組目の第２細束の細束ストランド４ｄをワイヤロープ１１の本線１１ａ側の撚りストランドＤ・Ｅの間から挿入して撚りストランドＢ・Ｃの間を抜く。
【０１９６】
（５）５組目の第２細束の細束ストランド５ｄをワイヤロープ１１の本線１１ａ側の撚りストランドＥ・Ｆの間から挿入して撚りストランドＣ・Ｄの間を抜く。
【０１９７】
（６）６組目の第２細束の細束ストランド６ｄをワイヤロープ１１の本線１１ａ側の撚りストランドＡ・Ｆの間から挿入して撚りストランドＤ・Ｅの間に抜く。
【０１９８】
以上で６組の第２細束の細束ストランド１ｄ〜６ｄは、かご差しの各方法による撚りストランドＡ〜Ｆへの１回目の挿通作業が完了する。
【０１９９】
次に、図１５に示すように、上記（１）〜（６）と同じ手順で６組の第２細束の細束ストランド１ｄ〜６ｄの２回目のかご差し方法による作業が行われる。
【０２００】
そして、６組の第２細束の細束ストランド１ｄ〜６ｄは、かご差しの各方法による撚りストランドＡ〜Ｆへの２回目の挿通作業が完了する。
【０２０１】
このようにワイヤーロープの撚りストランドに細束ストランドを編み込むことで編込み収納部が形成されることとなる。
【０２０２】
以上の第３半差し編み込み工程において、半差しにおけるかご差し作業は２回行われるが、特に２回に限定されるものではなく２回以上であってもよい。
【０２０３】
IX-c1．［第２細束切断工程及び第２細束先端押込み工程］
２〜３回のかご差しの作業が終了するとワイヤロープ表面位置において突出した６組の第２細束の細束ストランド１ｄ〜６ｄを切断する第２細束切断工程を行う。切断した第２細束の切断部分は、撚りストランドＡ〜Ｆの芯部領域の空隙１１ｂ中に押込む第２細束先端押込み工程を行う。
【０２０４】
例えば、図１６に示すように、６組の第２細束の各細束ストランド１ｄ〜６ｄのうち２組ずつを束ねて根元をテーピングし、新たに３組のテーピングストランド束を形成し、その後、テーピングの先端から突出した細束ストランドを切断して３組のテーピング束ストランドの先端部分を芯部領域の空隙１１ｂ内に差し込む。そして、外部に引出していた心綱７を芯部領域の空隙１１ｂに戻す。この編込み収納部における芯部領域の空隙に２組に束ねたテーピング束ストランドの先端部分たるトゲを封じ込めてワイヤロープの外部に突出できないように完全に封入することができる。このとき、細束ストランドを２組ずつ束ねると、束ストランドの直径と略同一径となり、芯部領域の空隙からワイヤーロープの外部への突出できなくすることができる。そして、一旦外部に引出した切断芯線を、芯部領域の空隙に戻すことによりその空隙をなくし、２組或は３組に束ねた細束ストランド切断先端部たるトゲの方向をワイヤーロープの長手方向に揃えてワイヤーロープの外部への突出を防止することができる。
【０２０５】
なお、図１６で説明した６組の第２細束の細束ストランド１ａ〜６ａを２本ずつ束ねて芯部領域の空隙１１ｂに収めるようにしたが、６組の第２細束の細束ストランドを３本ずつ束ねて芯部領域の空隙１１ｂに収めるようにしてもよい。
【０２０６】
以上のI-a1〜II-a1、III-c1〜IX-c1の各工程を経て、トゲなしのワイヤロープ玉掛索が完成する（図５０参照）。
【０２０７】
［第４実施形態］
本発明の第４実施形態のトゲのないワイヤロープの玉掛索製造方法は、束ストランド形成工程と、準備作業工程と、巻差しの第１編み込み工程と、かご差しの第２編み込み工程と、細束ストランド形成工程と、第１細束切断工程と、第１細束先端押込み工程と、巻差しの第３半差し編み込み工程と、第２細束切断工程と、第２細束先端押込み工程とよりなる。
【０２０８】
なお、本願発明の第４実施形態のトゲのないワイヤロープの玉掛索製造方法は、上述した第１実施形態の玉掛索製造方法におけるI-a1.束ストランド形成工程、II-a1.準備作業工程まで同様に行い、さらに続いて、第３実施形態の玉掛索製造方法におけるIII-c1.巻差しの第１編み込み工程を同様に行い、その後の工程において異なることとなる。すなわち、IV-d1.かご差しの第２編み込み工程が異なることとなる。次いで、上述した第１実施形態の玉掛索製造方法におけるV-a1.細束ストランド形成工程と、VI-a1.第１細束切断工程と、VII-a1.第１細束先端押込み工程と、VIII-a1.巻差しの第３半差し編み込み工程と、IX-a1.第２細束切断工程と第２細束先端押込み工程までの作業を同様に行なう。
【０２０９】
本願発明の第４実施形態の玉掛索製造方法における束ストランド形成工程及び準備作業工程までの説明については、上述した第１実施形態の玉掛索製造方法におけるI-a1.束ストランド形成工程、II-a1.準備作業工程及び第３実施形態の玉掛索製造方法におけるIII-c1.巻差しの第１編み込み工程と同一であり重複説明を省略する。
【０２１０】
IV-d1．［かご差しの第２編み込み工程］
次いで、各組の束ストランド１〜６を「かご差し方法」による作業で撚りストランド間に挿通する。
【０２１１】
すなわち、ワイヤロープの撚りと逆の方向に巻いていくかご差し方法を１回のみ実施するかご差しの第２編み込み工程を行う。
【０２１２】
（１）例えば、図１７に示すように、１組目の束ストランド１をワイヤロープ１１の本線１１ａ側の撚りストランドＡ・Ｂの間から挿入して撚りストランドＥ・Ｆの間を抜く。
【０２１３】
（２）２組目の束ストランド２をワイヤロープ１１の本線１１ａ側の撚りストランドＢ・Ｃの間から挿入して撚りストランドＡ・Ｆの間を抜く。
【０２１４】
（３）３組目の束ストランド３をワイヤロープ１１の本線１１ａ側の撚りストランドＣ・Ｄの間から挿入して撚りストランドＡ・Ｂの間を抜く。
【０２１５】
（４）４組目の束ストランド４をワイヤロープ１１の本線１１ａ側の撚りストランドＤ・Ｅの間から挿入して撚りストランドＢ・Ｃの間を抜く。
【０２１６】
（５）５組目の束ストランド５をワイヤロープ１１の本線１１ａ側の撚りストランドＥ・Ｆの間から挿入して撚りストランドＣ・Ｄの間を抜く。
【０２１７】
（６）６組目の束ストランド６をワイヤロープ１１の本線１１ａ側の撚りストランドＡ・Ｆの間から挿入して撚りストランドＤ・Ｅの間に抜く。
【０２１８】
６組の束ストランド１〜６は、かご差しの方法による撚りストランドＡ〜Ｆへの挿通作業が完了する。
【０２１９】
このようにワイヤーロープの撚りストランドに束ストランドを編み込むことで編込み収納部が形成されることとなる。
【０２２０】
次に、上述した第１実施形態の玉掛索製造方法におけるV-a1．細束ストランド形成工程と、VI-a1.第１細束切断工程と、VII-a1.第１細束先端押込み工程と、VIII-a1.巻差しの第３半差し編み込み工程と、IX-a1.第２細束切断工程と第２細束先端押込み工程と同一の作業を行うこととなり重複説明を省略する。
【０２２１】
以上のI-a1〜II-a1、III-c1、IV-d1、V-a1〜IX-a1の各工程を経て、トゲなしのワイヤロープ玉掛索が完成する（図５０参照）。
【０２２２】
［第５実施形態］
本発明の第５実施形態のトゲのないワイヤロープの玉掛索製造方法は、束ストランド形成工程と、準備作業工程と、かご差しの第１編み込み工程と、巻差しの第２編み込み工程と、細束ストランド形成工程と、第１細束切断工程と、第１細束先端押込み工程と、かご差しの第３半差し編み込み工程と、第２細束切断工程と、第２細束先端押込み工程とよりなる。
【０２２３】
なお、本願発明の第５実施形態のトゲのないワイヤロープの玉掛索製造方法は、上述した第１実施形態の玉掛索製造方法におけるI-a1.束ストランド形成工程〜VII-a1.第１細束先端押込み工程を行ない、その後の各工程が次ぎのように異なる。すなわち、各工程は、VIII-e1.かご差しの第３半差し編み込み工程と、IX-e1.第２細線切断工程と第２細線先端押込み工程とにおいて異なることとなる。
【０２２４】
先ず、本願発明の第５実施形態の玉掛索製造方法における束ストランド形成工程〜第１細束先端押込み工程までの説明については、上述した第１実施形態の玉掛索製造方法におけるI-a1.束ストランド形成工程〜VII-a1.第１細束先端押込み工程と同一であり重複説明を省略する。
【０２２５】
VIII-e1．［かご差しの第３半差し編み込み工程］
突出したままのかかる第２細束の細束ストランド１ｄ〜６ｄは、半差しによるかご差し方法による作業で撚りストランドＡ〜Ｆ間に挿通する第３半差し編み込み工程を行う。すなわち、図１８に示すように１組目〜６組目の第２細束の細束ストランド１ｄ〜６ｄは、所定の撚りストランドＡ〜Ｆ間に、撚りと逆の方向に巻回しながら挿通する。
【０２２６】
（１）例えば、図１８に示すように、１組目の第２細束の細束ストランド１ｄをワイヤロープ１１の本線１１ａ側の撚りストランドＤ・Ｅの間から挿入して撚りストランドＢ・Ｃの間を抜く。
【０２２７】
（２）２組目の第２細束の細束ストランド２ｄをワイヤロープ１１の本線１１ａ側の撚りストランドＥ・Ｆの間から挿入して撚りストランドＣ・Ｄの間を抜く。
【０２２８】
（３）３組目の第２細束の細束ストランド３ｄをワイヤロープ１１の本線１１ａ側の撚りストランドＡ・Ｆの間から挿入して撚りストランドＤ・Ｅの間を抜く。
【０２２９】
（４）４組目の第２細束の細束ストランド４ｄをワイヤロープ１１の本線１１ａ側の撚りストランドＡ・Ｂの間から挿入して撚りストランドＥ・Ｆの間を抜く。
【０２３０】
（５）５組目の第２細束の細束ストランド５ｄをワイヤロープ１１の本線１１ａ側の撚りストランドＢ・Ｃの間から挿入して撚りストランドＡ・Ｆの間を抜く。
【０２３１】
（６）６組目の第２細束の細束ストランド６ｄをワイヤロープ１１の本線１１ａ側の撚りストランドＣ・Ｄの間から挿入して撚りストランドＡ・Ｂの間に抜く。
【０２３２】
以上で６組の第２細束の細束ストランド１ｄ〜６ｄは、かご差しの方法による撚りストランドＡ〜Ｆへの１回目の挿通作業が完了する。
【０２３３】
次に、図１９に示すように上記（１）〜（６）と同じ手順で６組の第２細束の細束ストランド１ｄ〜６ｄの２回目のかご差し方法による作業が行われる。
【０２３４】
そして、６組の第２細束の細束ストランド１ｄ〜６ｄは、かご差しの各方法による撚りストランドＡ〜Ｆへの２回目の挿通作業が完了する。
【０２３５】
このようにワイヤーロープの撚りストランドに細束ストランドを編み込むことで編込み収納部が形成されることとなる。
【０２３６】
以上の第３半差し編み込み工程において、半差しにおけるかご差し作業は２回行われるが、特に２回に限定されるものではなく２回以上であってもよい。
【０２３７】
IX-e1．［第２細束切断工程及び第２細束先端押込み工程］
２〜３回のかご差しの作業が終了するとワイヤロープ表面位置において突出した６組の第２細束の細束ストランド１ｄ〜６ｄを切断する第２細束切断工程を行う。切断した第２細束の切断部分は、撚りストランドＡ〜Ｆの芯部領域の空隙１１ｂ中に押込む第２細束先端押込み工程を行う。
【０２３８】
例えば、図２０に示すように、６組の第２細束の各細束ストランド１ｄ〜６ｄのうち２組ずつを束ねて根元をテーピングし、新たに３組のテーピングストランド束を形成し、その後、テーピングの先端から突出した細束ストランドを切断して３組のテーピング束ストランドの先端部分を芯部領域の空隙１１ｂ内に差し込む。そして、外部に引出していた心綱７を芯部領域の空隙１１ｂに戻す。この編込み収納部における芯部領域の空隙に２組に束ねたテーピング束ストランドの先端部分たるトゲを封じ込めてワイヤロープの外部に突出できないように完全に封入することができる。このとき、細束ストランドを２組ずつ束ねると、束ストランドの直径と略同一径となり、芯部領域の空隙からワイヤーロープの外部への突出できなくすることができる。そして、一旦外部に引出した切断芯線を、芯部領域の空隙に戻すことによりその空隙をなくし、２組或は３組に束ねた細束ストランド切断先端部たるトゲの方向をワイヤーロープの長手方向に揃えてワイヤーロープの外部への突出を防止することができる。
【０２３９】
なお、図２０で説明した６組の第２細束の細束ストランド１ｄ〜６ｄを２本ずつ束ねて芯部領域の空隙１１ｂに収めるようにしたが、６組の第２細束の細束ストランドを３本ずつ束ねて芯部領域の空隙１１ｂに収めるようにしてもよい。
【０２４０】
以上のI-a1〜VII-a1、VIII-e1〜IX-e1の各工程を経て、トゲなしのワイヤロープ玉掛索が完成する（図５０参照）。
【０２４１】
［第６実施形態］
本発明の第６実施形態のトゲのないワイヤロープの玉掛索製造方法は、束ストランド形成工程と、準備作業工程と、かご差しの第１編み込み工程と、かご差しの第２編み込み工程と、細束ストランド形成工程と、第１細束切断工程と、第１細束先端押込み工程と、かご差しの第３半差し編み込み工程と、第２細束切断工程と、第２細束先端押込み工程とよりなる。
【０２４２】
すなわち、本願発明の第６実施形態のトゲのないワイヤロープの玉掛索製造方法は、上述した第１実施形態の玉掛索製造方法におけるI-a1.束ストランド形成工程〜III-a1.かご差しの第１編み込み工程まで同様に行い、続いて、第２実施形態の玉掛索製造方法におけるIV-b1.かご差しの第２編み込み工程と、V-b1.細束ストランド形成工程と、VI-b1.第１細束切断工程と、VII-b1.第１細束先端押込み工程を同様に行い、さらに、第３実施形態の玉掛索製造方法におけるVIII-c1.かご差しの第３半差し編み込み工程と、IX-c1.第２細束切断工程と第２細束先端押込み工程を同様に行うようにしている。
【０２４３】
以上のI-a1〜III-a1、IV-b1〜VII-b1、VIII-e1〜IX-e1の各工程を経て、トゲなしのワイヤロープ玉掛索が完成する（図５０参照）。
【０２４４】
［第７実施形態］
本発明の第７実施形態のトゲのないワイヤロープの玉掛索製造方法は、束ストランド形成工程と、準備作業工程と、巻差しの第１編み込み工程と、巻差しの第２編み込み工程と、細束ストランド形成工程と、第１細束切断工程と、第１細束先端押込み工程と、巻差しの第３半差し編み込み工程と、第２細束切断工程と、第２細束先端押込み工程とよりなる。
【０２４５】
なお、本願発明の第７実施形態のトゲのないワイヤロープの玉掛索製造方法は、上述した第１実施形態の玉掛索製造方法におけるI-a1.束ストランド形成工程、II-a1.準備作業工程まで同様に行い、続いて、第３実施形態の玉掛索製造方法におけるIII-c1.巻差しの第１編み込み工程と、IV-c1．巻差しの第２編み込み工程まで同様に行い、さらに第１実施形態の玉掛索製造方法におけるV-a1．細束ストランド形成工程VI-a1.第１細束切断工程と、VII-a1.第１細束先端押込み工程と、VIII-a1.巻差しの第３半差し編み込み工程と、IX-a1.第２細束切断工程と第２細束先端押込み工程まで同様に行う。
【０２４６】
以上のI-a1〜II-a1、III-c1〜IV-c1、V-a1〜IX-a1の各工程を経て、トゲなしのワイヤロープ玉掛索が完成する（図５０参照）。
【０２４７】
［第８実施形態］
本発明の第８実施形態のトゲのないワイヤロープの玉掛索製造方法は、束ストランド形成工程と、準備作業工程と、かご差しの第１編み込み工程と、巻差しの第２編み込み工程と、細束ストランド形成工程と、内層線としての第１細束切断工程と、内層線としての第１細束先端押込み工程と、巻差しの第３半差し編み込み工程と、外層線としての第２細束切断工程と、外層線としての第２細束先端押込み工程とよりなる。
【０２４８】
なお、本願発明の第８実施形態のトゲのないワイヤロープの玉掛索製造方法は、上述した第１実施形態の玉掛索製造方法におけるI-a1.束ストランド形成工程〜IV-a1.巻差しの第２編み込み工程まで同様に行い、その後の各工程が次ぎのように異なる。すなわち、各工程は、V-a2.細束ストランド形成工程と、VI-a2.内層線としての第１細束切断工程と、VII-a2.内層線としての第１細束先端押込み工程と、VIII-a2.巻差しの第３半差し編み込み工程と、IX-a2.外層線としての第２細束切断工程と外層線としての第２細束先端押込み工程とにおいて異なることとなる。
【０２４９】
本願発明の第８実施形態の玉掛索製造方法における束ストランド形成工程〜巻差しの第２編み込み工程までの説明については、上述した第１実施形態の玉掛索製造方法のI-a1.束ストランド形成工程〜IV-a1.巻差しの第２編み込み工程と同一であり重複説明を省略する。なお、第７実施形態においては、第１細束を内層線とし、第２細束を外層線として説明を行う。
【０２５０】
V-a2．［細束ストランド形成工程］
以上で６組の束ストランド１〜６は、３回のかご差し、１回の巻差しの各方法による撚りストランドＡ〜Ｆへの挿通作業が完了する。そして、束ストランド１〜６の各突出端を第１細束としての内層線の細束ストランド１ａ〜６ａと、第２細束としての外層線の細束ストランド１ｂ〜６ｂとに分別する細束ストランド形成工程を行う。一般にストランド単体を構成する複合線は、内外層線の多層線よりなり、これらを内層線、外層線と称しており、ここでは、これら内外層線に分別する作業を行う。
【０２５１】
VI-a2．［内層線としての第１細束切断工程］
６組の束ストランド１〜６の内層線の細束ストランド１ａ〜６ａは、ワイヤロープ表面の位置で切断する内層線としての第１細束切断工程を行い、６組の外層線、すなわち６組の細束ストランド１ｂ〜６ｂを残す（図２１、図４６及び図４７参照）。このとき、撚りストランドＡ〜Ｆ間から心綱７を引き出し切断（図４８参照）して、同撚りストランドＡ〜Ｆの中心部の心綱７の一部を抜いた箇所に芯部領域の空隙１１ｂを形成する。図４８中、符号１４５はスパイキである。
【０２５２】
VII-a2．［内層線としての第１細束先端押込み工程］
切断された６組の内層線としての第１細束の細束ストランド１ａ〜６ａの先端切断部分、いわゆる内層線トゲ６本は、撚りストランドＡ〜Ｆの中心部の心綱７の一部を抜いて生じた芯部領域の空隙１１ｂ中に押し込む内層線としての第１細束先端押込み工程を行う。このとき束ストランドが芯部領域の周囲を囲繞した編込み収納部により、ストランド切断先端部たるトゲを包み込んだ状態となる。
【０２５３】
VIII-a2．［巻差しの第３半差し編み込み工程］
突出したままのかかる外層線の細束ストランド１ｂ〜６ｂは、半差しによる巻差し方法による作業で撚りストランドＡ〜Ｆ間に挿通する巻差しの第３半差し編み込み工程を行う。すなわち、図２１に示すように１組目〜６組目の外層線の細束ストランド１ｂ〜６ｂは、所定の撚りストランドＡ〜Ｆ間に、撚りと同じ方向に巻回しながら挿通する。
【０２５４】
（１）例えば、図２１に示すように、１組目の外層線の細束ストランド１ｂをワイヤロープ１１の本線１１ａ側の撚りストランドＡ・Ｆの間から挿入して撚りストランドＥ・Ｆの間を抜く。
【０２５５】
（２）２組目の外層線の細束ストランド２ｂをワイヤロープ１１の本線１１ａ側の撚りストランドＡ・Ｂの間から挿入して撚りストランドＡ・Ｆの間を抜く。
【０２５６】
（３）３組目の外層線の細束ストランド３ｂをワイヤロープ１１の本線１１ａ側の撚りストランドＢ・Ｃの間から挿入して撚りストランドＡ・Ｂの間を抜く。
【０２５７】
（４）４組目の外層線の細束ストランド４ｂをワイヤロープ１１の本線１１ａ側の撚りストランドＣ・Ｄの間から挿入して撚りストランドＢ・Ｃの間を抜く。
【０２５８】
（５）５組目の外層線の細束ストランド５ｂをワイヤロープ１１の本線１１ａ側の撚りストランドＤ・Ｅの間から挿入して撚りストランドＣ・Ｄの間を抜く。
【０２５９】
（６）６組目の外層線の細束ストランド６ｂをワイヤロープ１１の本線１１ａ側の撚りストランドＥ・Ｆの間から挿入して撚りストランドＤ・Ｅの間に抜く。
【０２６０】
以上で６組の外層線の細束ストランド１ｂ〜６ｂは、巻差しの方法による撚りストランドＡ〜Ｆへの１回目の挿通作業が完了する。
【０２６１】
次に、同じ手順で６組の外層線の細束ストランド１ｂ〜６ｂの２回目の巻差し方法による作業が行われる。図２２を基に詳説する。
【０２６２】
（１）例えば、図２２に示すように、１組目の外層線の細束ストランド１ｂをワイヤロープ１１の本線１１ａ側の撚りストランドＡ・Ｆの間から挿入して撚りストランドＥ・Ｆの間を抜く。
【０２６３】
（２）２組目の外層線の細束ストランド２ｂをワイヤロープ１１の本線１１ａ側の撚りストランドＡ・Ｂの間から挿入して撚りストランドＡ・Ｆの間を抜く。
【０２６４】
（３）３組目の外層線の細束ストランド３ｂをワイヤロープ１１の本線１１ａ側の撚りストランドＢ・Ｃの間から挿入して撚りストランドＡ・Ｂの間を抜く。
【０２６５】
（４）４組目の外層線の細束ストランド４ｂをワイヤロープ１１の本線１１ａ側の撚りストランドＣ・Ｄの間から挿入して撚りストランドＢ・Ｃの間を抜く。
【０２６６】
（５）５組目の外層線の細束ストランド５ｂをワイヤロープ１１の本線１１ａ側の撚りストランドＤ・Ｅの間から挿入して撚りストランドＣ・Ｄの間を抜く。
【０２６７】
（６）６組目の外層線の細束ストランド６ｂをワイヤロープ１１の本線１１ａ側の撚りストランドＥ・Ｆの間から挿入して撚りストランドＤ・Ｅの間に抜く。
【０２６８】
以上で６組の外層線の細束ストランド１ｂ〜６ｂは、巻差しの各方法による撚りストランドＡ〜Ｆへの２回目の挿通作業が完了する。
【０２６９】
このようにワイヤーロープの撚りストランドに細束ストランドを編み込むことで編込み収納部が形成されることとなる。
【０２７０】
以上の第３半差し編み込み工程において、半差しにおける巻差し作業は２回行われるが、特に２回に限定されるものではなく２回以上であってもよい。
【０２７１】
IX-a2．［外層線としての第２細束切断工程及び外層線としての第２細束先端押込み工程］
２〜３回の巻差しの作業が終了するとワイヤロープ表面位置において突出した６組の外層線の細束ストランド１ｂ〜６ｂを切断する外層線としての第２細束切断工程を行う。切断した外層線の切断部分は、撚りストランドＡ〜Ｆの芯部領域の空隙１１ｂ中に押込む外層線としての第２細束先端押込み工程を行う。
【０２７２】
例えば、図２３に示すように、６組の外層線の各細束ストランド１ｂ〜６ｂのうち２組ずつを束ねて根元をテーピングし、新たに３組のテーピングストランド束を形成し、その後、テーピングの先端から突出した細束ストランドを切断して３組のテーピング束ストランドの先端部分を芯部領域の空隙１１ｂ内に差し込む（図４９参照）。そして、外部に引出していた心綱７を芯部領域の空隙１１ｂに戻す。この編込み収納部における芯部領域の空隙に２組に束ねたテーピング束ストランドの先端部分たるトゲを封じ込めてワイヤロープの外部に突出できないように完全に封入することができる。このとき、細束ストランドを２組ずつ束ねると、束ストランドの直径と略同一径となり、芯部領域の空隙からワイヤーロープの外部への突出できなくすることができる。そして、一旦外部に引出した切断芯線を、芯部領域の空隙に戻すことによりその空隙をなくし、２組或は３組に束ねた細束ストランド切断先端部たるトゲの方向をワイヤーロープの長手方向に揃えてワイヤーロープの外部への突出を防止することができる。
【０２７３】
なお、図２３で説明した６組の外層線の細束ストランド１ｂ〜６ｂを２本ずつ束ねて芯部領域の空隙１１ｂに収めるようにしたが、６組の外層線の細束ストランドを３本ずつ束ねて芯部領域の空隙１１ｂに収めるようにしてもよい。
【０２７４】
以上のI-a1〜IV-a1、V-a2〜IX-a2の各工程を経て、トゲなしのワイヤロープ玉掛索が完成する（図５０参照）。
【０２７５】
［第９実施形態］
本発明の第９実施形態のトゲのないワイヤロープの玉掛索製造方法は、束ストランド形成工程と、準備作業工程と、かご差しの第１編み込み工程と、かご差しの第２編み込み工程と、細束ストランド形成工程と、内層線としての第１細束切断工程と、内層線としての第１細束先端押込み工程と、巻差しの第３半差し編み込み工程と、外層線としての第２細束切断工程と、外層線としての第２細束先端押込み工程とよりなる。
【０２７６】
なお、本願発明の第９実施形態のトゲのないワイヤロープの玉掛索製造方法は、上述した第１実施形態の玉掛索製造方法におけるI-a1.束ストランド形成工程〜III-a1.かご差しの第１編み込み工程まで同様に行い、その後の各工程が次ぎのように異なる。すなわち、各工程は、IV-b2.かご差しの第２編み込み工程と、V-b2.細束ストランド形成工程と、VI-b2.内層線としての第１細束切断工程と、VII-b2.内層線としての第１細束端押込み工程と、VIII-b2.巻差しの第３半差し編み込み工程と、IX-b2.外層線としての第２細束切断工程と外層線としての第２細束先端押込み工程とにおいて異なることとなる。
【０２７７】
本願発明の第９実施形態の玉掛索製造方法における束ストランド形成工程〜かご差しの第１編み込み工程までの説明については、上述した第１実施形態の玉掛索製造方法と同一であり重複説明を省略する。
【０２７８】
IV-b2．［かご差しの第２編み込み工程］
次いで、各組の束ストランド１〜６を「かご差し方法」による作業で撚りストランド間に挿通する。
【０２７９】
すなわち、ワイヤロープの撚りと逆の方向に巻いていくかご差し方法を１回のみ実施するかご差し工程を行う（上記図３における説明の手順参照）。
【０２８０】
（１）例えば、１組目の束ストランド１をワイヤロープ１１の本線１１ａ側の撚りストランドＤ・Ｅの間から挿入して撚りストランドＢ・Ｃの間を抜く。
【０２８１】
（２）２組目の束ストランド２をワイヤロープ１１の本線１１ａ側の撚りストランドＥ・Ｆの間から挿入して撚りストランドＣ・Ｄの間を抜く。
【０２８２】
（３）３組目の束ストランド３をワイヤロープ１１の本線１１ａ側の撚りストランドＡ・Ｆの間から挿入して撚りストランドＤ・Ｅの間を抜く。
【０２８３】
（４）４組目の束ストランド４をワイヤロープ１１の本線１１ａ側の撚りストランドＡ・Ｂの間から挿入して撚りストランドＥ・Ｆの間を抜く。
【０２８４】
（５）５組目の束ストランド５をワイヤロープ１１の本線１１ａ側の撚りストランドＢ・Ｃの間から挿入して撚りストランドＡ・Ｆの間を抜く。
【０２８５】
（６）６組目の束ストランド６をワイヤロープ１１の本線１１ａ側の撚りストランドＣ・Ｄの間から挿入して撚りストランドＡ・Ｂの間に抜く。
【０２８６】
図９に示すように、６組の束ストランド１〜６は、かご差しの方法による撚りストランドＡ〜Ｆへの挿通作業が完了する。
【０２８７】
このようにワイヤーロープの撚りストランドに束ストランドを編み込むことで編込み収納部が形成されることとなる。
【０２８８】
V-b2．［細束ストランド形成工程］
以上で６組の束ストランド１〜６は、３回のかご差し、１回のかご差しの各方法による撚りストランドＡ〜Ｆへの挿通作業が完了する。そして、束ストランド１〜６の各突出端を第１細束としての内層線の細束ストランド１ａ〜６ａと、第２細束としての外層線の細束ストランド１ｂ〜６ｂとに分別する細束ストランド形成工程を行う。なお、第７実施形態においては、第６実施形態と同様に、第１細束を内層線とし、第２細束を外層線として説明を行う。
【０２８９】
VI-b2．［内層線としての第１細束切断工程］
６組の束ストランド１〜６の内層線の細束ストランド１ａ〜６ａは、ワイヤロープ表面の位置で切断する内層線としての第１細束切断工程を行い、６組の外層線、すなわち６組の細束ストランド１ｂ〜６ｂを残す（図２４、図４６及び図４７参照）。このとき、撚りストランドＡ〜Ｆ間から心綱７を引き出し切断（図４８参照）して、同撚りストランドＡ〜Ｆの中心部の心綱７の一部を抜いた箇所に芯部領域の空隙１１ｂを形成する。
【０２９０】
VII-b2．［内層線としての第１細束先端押込み工程］
切断された６組の細束ストランドの先端切断部分、いわゆる内層線トゲ６本は、撚りストランドＡ〜Ｆの中心部の心綱７の一部を抜いて生じた芯部領域の空隙１１ｂ中に押し込む内層線としての第１細束先端押込み工程を行う。このとき束ストランドが芯部領域の周囲を囲繞した編込み収納部により、ストランド切断先端部たるトゲを包み込んだ状態となる。
【０２９１】
VIII-b2．［巻差しの第３半差し編み込み工程］
突出したままのかかる外層線の細束ストランド１ｂ〜６ｂは、半差しによる巻差し方法による作業で撚りストランドＡ〜Ｆ間に挿通する第３半差し編み込みを行う。すなわち、図２４に示すように、１組目〜６組目の外層線の細束ストランド１ｂ〜６ｂは、所定の撚りストランドＡ〜Ｆ間に、撚りと同じ方向に巻回しながら挿通する。
【０２９２】
（１）例えば、図２４に示すように、１組目の細束ストランド１ｂをワイヤロープ１１の本線１１ａ側の撚りストランドＣ・Ｄの間から挿入して撚りストランドＢ・Ｃの間を抜く。
【０２９３】
（２）２組目の細束ストランド２ｂをワイヤロープ１１の本線１１ａ側の撚りストランドＤ・Ｅの間から挿入して撚りストランドＣ・Ｄの間を抜く。
【０２９４】
（３）３組目の細束ストランド３ｂをワイヤロープ１１の本線１１ａ側の撚りストランドＥ・Ｆの間から挿入して撚りストランドＤ・Ｅの間を抜く。
【０２９５】
（４）４組目の細束ストランド４ｂをワイヤロープ１１の本線１１ａ側の撚りストランドＡ・Ｆの間から挿入して撚りストランドＥ・Ｆの間を抜く。
【０２９６】
（５）５組目の細束ストランド５ｂをワイヤロープ１１の本線１１ａ側の撚りストランドＡ・Ｂの間から挿入して撚りストランドＡ・Ｆの間を抜く。
【０２９７】
（６）６組目の細束ストランド６ｂをワイヤロープ１１の本線１１ａ側の撚りストランドＢ・Ｃの間から挿入して撚りストランドＡ・Ｂの間に抜く。
【０２９８】
以上で６組の外層線の細束ストランド１ｂ〜６ｂは、巻差しの各方法による撚りストランドＡ〜Ｆへの１回目の挿通作業が完了する。
【０２９９】
次に、図２５に示すように、上記（１）〜（６）と同じ手順で６組の外層線の細束ストランド１ｂ〜６ｂの２回目の巻差し方法による作業が行われる。
【０３００】
そして、６組の外層線の細束ストランド１ｂ〜６ｂは、巻差しの各方法による撚りストランドＡ〜Ｆへの２回目の挿通作業が完了する。
【０３０１】
このようにワイヤーロープの撚りストランドに細束ストランドを編み込むことで編込み収納部が形成されることとなる。
【０３０２】
以上の第３半差し編み込み工程において、半差しにおける巻差し作業は２回行われるが、特に２回に限定されるものではなく２回以上であってもよい。
【０３０３】
IX-b2．［外層線としての第２細束切断工程及び外層線としての第２細束先端押込み工程］
２〜３回の巻差しの作業が終了するとワイヤロープ表面位置において突出した６組の外層線の細束ストランド１ｂ〜６ｂを切断する外層線としての第２細束切断工程を行う。切断した外層線の切断部分は、撚りストランドＡ〜Ｆの芯部領域の空隙１１ｂ中に押込む外層線としての第２細束先端押込み工程を行う。
【０３０４】
例えば、図２６に示すように、６組の外層線の各細束ストランド１ｂ〜６ｂのうち２組ずつを束ねて根元をテーピングし、新たに３組のテーピングストランド束を形成し、その後、テーピングの先端から突出した細束ストランドを切断して３組のテーピング束ストランドの先端部分を芯部領域の空隙１１ｂ内に差し込む（図４９参照）。そして、外部に引出していた心綱７を芯部領域の空隙１１ｂに戻す。この編込み収納部における芯部領域の空隙に２組に束ねたテーピング束ストランドの先端部分たるトゲを封じ込めてワイヤロープの外部に突出できないように完全に封入することができる。このとき、細束ストランドを２組ずつ束ねると、束ストランドの直径と略同一径となり、芯部領域の空隙からワイヤーロープの外部への突出できなくすることができる。そして、一旦外部に引出した切断芯線を、芯部領域の空隙に戻すことによりその空隙をなくし、２組或は３組に束ねた細束ストランド切断先端部たるトゲの方向をワイヤーロープの長手方向に揃えてワイヤーロープの外部への突出を防止することができる。
【０３０５】
なお、図２６で説明した６組の外層線の細束ストランド１ｂ〜６ｂを２本ずつ束ねて芯部領域の空隙１１ｂに収めるようにしたが、６組の外層線の細束ストランドを３本ずつ束ねて芯部領域の空隙１１ｂに収めるようにしてもよい。
【０３０６】
以上のI-a1〜III-a1、IV-b2〜IX-b2の各工程を経て、トゲなしのワイヤロープ玉掛索が完成する（図５０参照）。
【０３０７】
［第１０実施形態］
本発明の第１０実施形態のトゲのないワイヤロープの玉掛索製造方法は、束ストランド形成工程と、準備作業工程と、巻差しの第１編み込み工程と、巻差しの第２編み込み工程と、細束ストランド形成工程と、内層線としての第１細束切断工程と、内層線としての第１細束先端押込み工程と、かご差しの第３半差し編み込み工程と、外層線としての第２細束切断工程と、外層線としての第２細束先端押込み工程とよりなる。
【０３０８】
なお、本願発明の第１０実施形態のトゲのないワイヤロープの玉掛索製造方法は、上述した第１実施形態の玉掛索製造方法におけるI-a1.束ストランド形成工程、II-a1.準備作業工程まで同様に行い、続いて第３実施形態の玉掛索製造方法におけるIII-c1.巻差しの第１編み込み工程と、IV-c1．巻差しの第２編み込み工程まで同様に行い、その後の各工程が次ぎのように異なる。すなわち、各工程は、V-c2．細束ストランド形成工程と、VI-c2.内層線としての第１細束切断工程と、VII-c2.内層線としての第１細束先端押込み工程と、VIII-c2.かご差しの第３半差し編み込み工程と、IX-c2.外層線としての第２細束切断工程と外層線としての第２細束先端押込み工程とにおいて異なることとなる。
【０３０９】
本願発明の第１０実施形態の玉掛索製造方法における束ストランド形成工程及び巻差しの第２編み込み工程までの説明については、上述した第１実施形態の玉掛索製造方法のI-a1.束ストランド形成工程、II-a1.準備作業工程及び第３実施形態の玉掛索製造方法のIII-c1.巻差しの第１編み込み工程と、IV-c1．巻差しの第２編み込み工程と同一であり重複説明を省略する。
【０３１０】
V-c2．［細束ストランド形成工程］
以上で６組の束ストランド１〜６は、３回の巻差し、１回の巻差しの各方法による撚りストランドＡ〜Ｆへの挿通作業が完了する。そして、束ストランド１〜６の各突出端を内層線の細束ストランド１ａ〜６ａと、外層線の細束ストランド１ｂ〜６ｂとに分別する細束ストランド形成工程を行う。一般にストランド単体を構成する複合線は、内外層線の多層線よりなり、これらを内層線、外層線と称しており、ここでは、これら内外層線に分別する作業を行う。なお、第９実施形態においては、第７実施形態と同様に、第１細束を内層線とし、第２細束を外層線として説明を行う。
【０３１１】
VI-c2．［内層線としての第１細束切断工程］
６組の束ストランド１〜６の内層線の細束ストランド１ａ〜６ａは、ワイヤロープ表面の位置で切断する第１細束切断工程を行い、６組の外層線、すなわち６組の細束ストランド１ｂ〜６ｂを残す（図２７、図４６及び図４７参照）。このとき、撚りストランドＡ〜Ｆ間から心綱７を引き出し切断（図４８参照）して、同撚りストランドＡ〜Ｆの中心部の心綱７の一部を抜いた箇所に芯部領域の空隙１１ｂを形成する。
【０３１２】
VII-c2．［内層線としての第１細束先端押込み工程］
切断された６組の内層線としての第１細束の細束ストランド１ａ〜６ａの先端切断部分、いわゆる内層線トゲ６本は、撚りストランドＡ〜Ｆの中心部の心綱７の一部を抜いて生じた芯部領域の空隙１１ｂ中に押し込む内層線としての第１細束先端押込み工程を行う。このとき束ストランドが芯部領域の周囲を囲繞した編込み収納部により、ストランド切断先端部たるトゲを包み込んだ状態となる。
【０３１３】
VIII-c2．［かご差しの第３半差し編み込み工程］
突出したままのかかる外層線の細束ストランド１ｂ〜６ｂは、半差しによるかご差し方法による作業で撚りストランドＡ〜Ｆ間に挿通する第３半差し編み込み工程を行う。すなわち、図２７に示すように１組目〜６組目の外層線の細束ストランド１ｂ〜６ｂは、所定の撚りストランドＡ〜Ｆ間に、撚りと逆の方向に巻回しながら挿通する。
【０３１４】
（１）例えば、図２７に示すように、１組目の外層線の細束ストランド１ｂをワイヤロープ１１の本線１１ａ側の撚りストランドＡ・Ｂの間から挿入して撚りストランドＥ・Ｆの間を抜く。
【０３１５】
（２）２組目の外層線の細束ストランド２ｂをワイヤロープ１１の本線１１ａ側の撚りストランドＢ・Ｃの間から挿入して撚りストランドＡ・Ｆの間を抜く。
【０３１６】
（３）３組目の外層線の細束ストランド３ｂをワイヤロープ１１の本線１１ａ側の撚りストランドＣ・Ｄの間から挿入して撚りストランドＡ・Ｂの間を抜く。
【０３１７】
（４）４組目の外層線の細束ストランド４ｂをワイヤロープ１１の本線１１ａ側の撚りストランドＤ・Ｅの間から挿入して撚りストランドＢ・Ｃの間を抜く。
【０３１８】
（５）５組目の外層線の細束ストランド５ｂをワイヤロープ１１の本線１１ａ側の撚りストランドＥ・Ｆの間から挿入して撚りストランドＣ・Ｄの間を抜く。
【０３１９】
（６）６組目の外層線の細束ストランド６ｂをワイヤロープ１１の本線１１ａ側の撚りストランドＡ・Ｆの間から挿入して撚りストランドＤ・Ｆの間に抜く。
【０３２０】
以上で６組の外層線の細束ストランド１ｂ〜６ｂは、かご差しの方法による撚りストランドＡ〜Ｆへの１回目の挿通作業が完了する。
【０３２１】
次に、同じ手順で６組の外層線の細束ストランド１ｂ〜６ｂの２回目のかご差し方法による作業が行われる。
【０３２２】
（１）例えば、図２８に示すように、１組目の外層線の細束ストランド１ｂをワイヤロープ１１の本線１１ａ側の撚りストランドＤ・Ｅの間から挿入して撚りストランドＢ・Ｃの間を抜く。
【０３２３】
（２）２組目の外層線の細束ストランド２ｂをワイヤロープ１１の本線１１ａ側の撚りストランドＥ・Ｆの間から挿入して撚りストランドＣ・Ｄの間を抜く。
【０３２４】
（３）３組目の外層線の細束ストランド３ｂをワイヤロープ１１の本線１１ａ側の撚りストランドＡ・Ｆの間から挿入して撚りストランドＤ・Ｅの間を抜く。
【０３２５】
（４）４組目の外層線の細束ストランド４ｂをワイヤロープ１１の本線１１ａ側の撚りストランドＡ・Ｂの間から挿入して撚りストランドＥ・Ｆの間を抜く。
【０３２６】
（５）５組目の外層線の細束ストランド５ｂをワイヤロープ１１の本線１１ａ側の撚りストランドＢ・Ｃの間から挿入して撚りストランドＡ・Ｆの間を抜く。
【０３２７】
（６）６組目の外層線の細束ストランド６ｂをワイヤロープ１１の本線１１ａ側の撚りストランドＣ・Ｄの間から挿入して撚りストランドＡ・Ｂの間に抜く。
【０３２８】
そして、６組の外層線の細束ストランド１ｂ〜６ｂは、かご差しの各方法による撚りストランドＡ〜Ｆへの２回目の挿通作業が完了する。
【０３２９】
このようにワイヤーロープの撚りストランドに細束ストランドを編み込むことで編込み収納部が形成されることとなる。
【０３３０】
以上の第３半差し編み込み工程において、半差しにおけるかご差し作業は２回行われるが、特に２回に限定されるものではなく２回以上であってもよい。
【０３３１】
IX-c2．［外層線としての第２細束切断工程及び外層線としての第２細束先端押込み工程］
２〜３回のかご差しの作業が終了するとワイヤロープ表面位置において突出した６組の外層線の細束ストランド１ｂ〜６ｂを切断する外層線としての第２細束切断工程を行う。切断した外層線の切断部分は、撚りストランドＡ〜Ｆの芯部領域の空隙１１ｂ中に押込む外層線としての第２細束先端押込み工程を行う。
【０３３２】
例えば、図２９に示すように、６組の外層線の各細束ストランド１ｂ〜６ｂのうち２組ずつを束ねて根元をテーピングし、新たに３組のテーピングストランド束を形成し、その後、テーピングの先端から突出した細束ストランドを切断して３組のテーピング束ストランドの先端部分を芯部領域の空隙１１ｂ内に差し込む（図４９参照）。そして、外部に引出していた心綱７を芯部領域の空隙１１ｂに戻す。この編込み収納部における芯部領域の空隙に２組に束ねたテーピング束ストランドの先端部分たるトゲを封じ込めてワイヤロープの外部に突出できないように完全に封入することができる。このとき、細束ストランドを２組ずつ束ねると、束ストランドの直径と略同一径となり、芯部領域の空隙からワイヤーロープの外部への突出できなくすることができる。そして、一旦外部に引出した切断芯線を、芯部領域の空隙に戻すことによりその空隙をなくし、２組或は３組に束ねた細束ストランド切断先端部たるトゲの方向をワイヤーロープの長手方向に揃えてワイヤーロープの外部への突出を防止することができる。
【０３３３】
なお、図２９で説明した６組の外層線の細束ストランド１ｂ〜６ｂを２本ずつ束ねて芯部領域の空隙１１ｂに収めるようにしたが、６組の外層線の細束ストランドを３本ずつ束ねて芯部領域の空隙１１ｂに収めるようにしてもよい。
【０３３４】
以上のI-a1〜II-a1、III-c1〜IV-c1、V-c2〜IX-c2の各工程を経て、トゲなしのワイヤロープ玉掛索が完成する（図５０参照）。
【０３３５】
［第１１実施形態］
本発明の第１１実施形態のトゲのないワイヤロープの玉掛索製造方法は、束ストランド形成工程と、準備作業工程と、巻差しの第１編み込み工程と、かご差しの第２編み込み工程と、細束ストランド形成工程と、内層線としての第１細束切断工程と、内層線としての第１細束先端押込み工程と、巻差しの第３半差し編み込み工程と、外層線としての第２細束切断工程と、外層線としての第２細束先端押込み工程とよりなる。
【０３３６】
なお、本願発明の第１１実施形態のトゲのないワイヤロープの玉掛索製造方法は、上述した第１実施形態の玉掛索製造方法におけるI-a1.束ストランド形成工程、II-a1.準備作業工程まで同様に行い、さらに続いて、第３実施形態の玉掛索製造方法におけるIII-c1.巻差しの第１編み込み工程を行い、続いて、第４実施形態の玉掛索製造方法におけるIV-d1．かご差しの第２編み込み工程を行い、次いで、上述した第８実施形態の玉掛索製造方法におけるV-a2．細束ストランド形成工程、VI-a2.内層線としての第１細束切断工程、VII-a2.内層線としての第１細束先端押込み工程、VIII-a2.巻差しの第３半差し編み込み工程、IX-a2.外層線としての第２細束切断工程と外層線としての第２細束先端押込み工程まで同様に行なう。
【０３３７】
以上のI-a1〜II-a1、III-c1、IV-d1、V-a2〜IX-a2の各工程を経て、トゲなしのワイヤロープ玉掛索が完成する（図５０参照）。
【０３３８】
［第１２実施形態］
本発明の第１２実施形態のトゲのないワイヤロープの玉掛索製造方法は、束ストランド形成工程と、準備作業工程と、かご差しの第１編み込み工程と、まき差しの第２編み込み工程と、細束ストランド形成工程と、内層線としての第１細束切断工程と、内層線としての第１細束先端押込み工程と、かご差しの第３半差し編み込み工程と、外層線としての第２細束切断工程と、外層線としての第２細束先端押込み工程とよりなる。
【０３３９】
なお、本願発明の第１２実施形態のトゲのないワイヤロープの玉掛索製造方法は、上述した第１実施形態の玉掛索製造方法におけるI-a1.束ストランド形成工程〜IV-a1.まき差しの第２編み込み工程まで同様に行い、第８実施形態の玉掛索製造方法におけるV-a2.細束ストランド形成工程と、VI-a2.内層線としての第１細束切断工程と、VII-a2.内層線としての第１細束先端押込み工程まで同様に行い、その後の各工程が次ぎのように異なる。すなわち、各工程は、VIII-e2.かご差しの第３半差し編み込み工程と、IX-e2.外層線としての第２細束切断工程と外層線としての第２細束先端押込み工程とにおいて異なることとなる。
【０３４０】
本願発明の第１２実施形態の玉掛索製造方法における束ストランド形成工程〜内層線としての第１細束先端押込み工程までの説明については、上述した第１実施形態の玉掛索製造方法のI-a1.束ストランド形成工程〜IV-a1.まき差しの第２編み込み工程及び第８実施形態の玉掛索製造方法のV-a2.細束ストランド形成工程と、VI-a2.内層線としての第１細束切断工程と、VII-a2.内層線としての第１細束先端押込み工程と同一であり重複説明を省略する。なお、第１２実施形態においては、第８実施形態と同様に、第１細束を内層線とし、第２細束を外層線として説明を行う。
【０３４１】
VIII-e2．［かご差しの第３半差し編み込み工程］
突出したままのかかる外層線の細束ストランド１ｂ〜６ｂは、半差しによるかご差し方法による作業で撚りストランドＡ〜Ｆ間に挿通する第３半差し編み込みを行う。すなわち、１組目〜６組目の外層線の細束ストランド１ｂ〜６ｂは、所定の撚りストランドＡ〜Ｆ間に、撚りと逆の方向に巻回しながら挿通する。
【０３４２】
（１）例えば、図３０に示すように、１組目の細束ストランド１ｂをワイヤロープ１１の本線１１ａ側の撚りストランドＤ・Ｅの間から挿入して撚りストランドＢ・Ｃの間を抜く。
【０３４３】
（２）２組目の細束ストランド２ｂをワイヤロープ１１の本線１１ａ側の撚りストランドＥ・Ｆの間から挿入して撚りストランドＣ・Ｄの間を抜く。
【０３４４】
（３）３組目の細束ストランド３ｂをワイヤロープ１１の本線１１ａ側の撚りストランドＡ・Ｆの間から挿入して撚りストランドＤ・Ｅの間を抜く。
【０３４５】
（４）４組目の細束ストランド４ｂをワイヤロープ１１の本線１１ａ側の撚りストランドＡ・Ｂの間から挿入して撚りストランＥ・Ｆの間を抜く。
【０３４６】
（５）５組目の細束ストランド５ｂをワイヤロープ１１の本線１１ａ側の撚りストランドＢ・Ｃの間から挿入して撚りストランドＡ・Ｆの間を抜く。
【０３４７】
（６）６組目の細束ストランド６ｂをワイヤロープ１１の本線１１ａ側の撚りストランドＣ・Ｄの間から挿入して撚りストランドＡ・Ｂの間に抜く。
【０３４８】
以上で６組の外層線の細束ストランド１ｂ〜６ｂは、かご差しの各方法による撚りストランドＡ〜Ｆへの１回目の挿通作業が完了する。
【０３４９】
次に、図３１に示すように、上記（１）〜（６）と同じ手順で６組の外層線の細束ストランド１ｂ〜６ｂの２回目のかご差し方法による作業が行われる。
【０３５０】
そして、６組の外層線の細束ストランド１ｂ〜６ｂは、かご差しの各方法による撚りストランドＡ〜Ｆへの２回目の挿通作業が完了する。
【０３５１】
このようにワイヤーロープの撚りストランドに細束ストランドを編み込むことで編込み収納部が形成されることとなる。
【０３５２】
以上の第３半差し編み込み工程において、半差しにおけるかご差し作業は２回行われるが、特に２回に限定されるものではなく２回以上であってもよい。
【０３５３】
IX-e2．［外層線としての第２細束切断工程及び外層線としての第２細束先端押込み工程］
２〜３回のかご差しの作業が終了するとワイヤロープ表面位置において突出した６組の外層線の細束ストランド１ｂ〜６ｂを切断する外層線としての第２細束切断工程を行う。切断した外層線の切断部分は、撚りストランドＡ〜Ｆの芯部領域の空隙１１ｂ中に押込む外層線としての第２細束先端押込み工程を行う。
【０３５４】
例えば、図３２に示すように、６組の外層線の各細束ストランド１ｂ〜６ｂのうち２組ずつを束ねて根元をテーピングし、新たに３組のテーピングストランド束を形成し、その後、テーピングの先端から突出した細束ストランドを切断して３組のテーピング束ストランドの先端部分を芯部領域の空隙１１ｂ内に差し込む（図４９参照）。そして、外部に引出していた心綱７を芯部領域の空隙１１ｂに戻す。この編込み収納部における芯部領域の空隙に２組に束ねたテーピング束ストランドの先端部分たるトゲを封じ込めてワイヤロープの外部に突出できないように完全に封入することができる。このとき、細束ストランドを２組ずつ束ねると、束ストランドの直径と略同一径となり、芯部領域の空隙からワイヤーロープの外部への突出できなくすることができる。そして、一旦外部に引出した切断芯線を、芯部領域の空隙に戻すことによりその空隙をなくし、２組或は３組に束ねた細束ストランド切断先端部たるトゲの方向をワイヤーロープの長手方向に揃えてワイヤーロープの外部への突出を防止することができる。
【０３５５】
なお、図３２で説明した６組の外層線の細束ストランド１ｂ〜６ｂを２本ずつ束ねて芯部領域の空隙１１ｂに収めるようにしたが、６組の外層線の細束ストランドを３本ずつ束ねて芯部領域の空隙１１ｂに収めるようにしてもよい。
【０３５６】
以上のI-a1〜IV-a1、V-a2〜VII-a2、VIII-e2〜IX-e2の各工程を経て、トゲなしのワイヤロープ玉掛索が完成する（図５０参照）。
【０３５７】
［第１３実施形態］
本発明の第１３実施形態のトゲのないワイヤロープの玉掛索製造方法は、束ストランド形成工程と、準備作業工程と、かご差しの第１編み込み工程と、かご差しの第２編み込み工程と、細束ストランド形成工程と、内層線としての第１細束切断工程と、内層線としての第１細束先端押込み工程と、かご差しの第３半差し編み込み工程と、外層線としての第２細束切断工程と、外層線としての第２細束先端押込み工程とよりなる。
【０３５８】
なお、本願発明の第１３実施形態のトゲのないワイヤロープの玉掛索製造方法は、上述した第１実施形態の玉掛索製造方法におけるI-a1.束ストランド形成工程〜III-a1.かご差しの第１編み込み工程まで同様に行い、続いて、第９実施形態の玉掛索製造方法におけるIV-b2.かご差しの第２編み込み工程と、V-b2.細束ストランド形成工程と、VI-b2.内層線としての第１細束切断工程と、VII-b2.内層線としての第１細束端押込み工程まで同様に行い、第１０実施形態の玉掛索製造方法におけるVIII-c2.かご差しの第３半差し編み込み工程と、IX-c2.外層線としての第２細束切断工程と外層線としての第２細束先端押込み工程まで同様に行うこととなる。
【０３５９】
以上のI-a1〜III-a1、IV-b2〜VII-ｂ2、VIII-c2〜IX-c2の各工程を経て、トゲなしのワイヤロープ玉掛索が完成する（図５０参照）。
【０３６０】
［第１４実施形態］
本発明の第１４実施形態のトゲのないワイヤロープの玉掛索製造方法は、束ストランド形成工程と、準備作業工程と、巻差しの第１編み込み工程と、巻差しの第２編み込み工程と、細束ストランド形成工程と、内層線としての第１細束切断工程と、内層線としての第１細束先端押込み工程と、巻差しの第３半差し編み込み工程と、外層線としての第２細束切断工程と、外層線としての第２細束先端押込み工程とよりなる。
【０３６１】
なお、本願発明の第１４実施形態のトゲのないワイヤロープの玉掛索製造方法は、上述した第１実施形態の玉掛索製造方法におけるI-a1.束ストランド形成工程、II-a1.準備作業工程まで同様に行い、続いて第３実施形態の玉掛索製造方法におけるIII-c1.巻差しの第１編み込み工程と、IV-c1．巻差しの第２編み込み工程まで同様に行い、さらに第８実施形態の玉掛索製造方法におけるV-a2.細束ストランド形成工程と、VI-a2.内層線としての第１細束切断工程と、VII-a2.内層線としての第１細束先端押込み工程と、VIII-a2.巻差しの第３半差し編み込み工程と、IX-a2.外層線としての第２細束切断工程と外層線としての第２細束先端押込み工程を同様に行うこととなる。
【０３６２】
以上のI-a1〜II-a1、III-c1〜IV-c1、V-a2〜IX-a2の各工程を経て、トゲなしのワイヤロープ玉掛索が完成する（図５０参照）。
【０３６３】
［第１５実施形態］
本発明の第１５実施形態のトゲのないワイヤロープの玉掛索製造方法は、束ストランド形成工程と、準備作業工程と、かご差しの第１編み込み工程と、巻差しの第２編み込み工程と、細束ストランド形成工程と、外層線としての第１細束切断工程と、外層線としての第１細束先端押込み工程と、巻差しの第３半差し編み込み工程と、内層線としての第２細束切断工程と、内層線としての第２細束先端押込み工程とよりなる。
【０３６４】
なお、本願発明の第１５実施形態のトゲのないワイヤロープの玉掛索製造方法は、上述した第１実施形態の玉掛索製造方法におけるI-a1.束ストランド形成工程〜IV-a1.巻差しの第２編み込み工程までを同等に行い、さらに第８実施形態の玉掛索製造方法におけるV-a2.細束ストランド形成工程を同様に行い、その後の各工程が次ぎのように異なる。すなわち、各工程は、VI-a3.外層線切断工程と、VII-a3.外層先端押込み工程と、VIII-a3.巻差しの第３半差し編み込み工程と、IX-a3.内層線切断工程と内層線先端押込み工程とにおいて異なることとなる。
【０３６５】
すなわち、上記第８実施形態におけるVI-a2〜IX-a2の各工程中、特に細束ストランド形成工程で内外層の細束ストランドに分別し、内層線の細束ストランド１ａ〜６ａを先に切断し、切断部分の内層線トゲ６本を芯部領域の空隙１１ｂに押し込み、その後に外層線の細束ストランド１ｂ〜６ｂの巻差しの第３半差し編み込み工程を行い、次いで切断して先端押込み工程を行なうものであるが、以下の第１５実施形態では、上記第８実施形態の内層線と外層線との押し込み工程の順序を逆にして、先に外層線の細束ストランド１ｂ〜６ｂを切断し、芯部領域の空隙１１ｂに押し込み、その後に内層線の巻差しの第３半差し編み込み工程を行い、次いで切断して先端押込み工程を行うようにした。
【０３６６】
本願発明の第１５実施形態の玉掛索製造方法における束ストランド形成工程〜細束ストランド形成工程までの説明については、上述した第１実施形態の玉掛索製造方法のI-a1.束ストランド形成工程〜IV-a1.巻差しの第２編み込み工程及び第８実施形態の玉掛索製造方法のV-a2.細束ストランド形成工程と同一であり重複説明を省略する。なお、第１５実施形態においては、第１細束を外層線とし、第２細束を内層線として説明を行う。
【０３６７】
VI-a3．［外層線としての第１細束切断工程］
６組の束ストランド１〜６の外層線の細束ストランド１ｂ〜６ｂは、ワイヤロープ表面の位置で切断する外層線としての第１細束切断工程を行い、６組の内層線、すなわち６組の細束ストランド１ａ〜６ａを残す（図３３、図４６及び図４７参照）。このとき、撚りストランドＡ〜Ｆ間から心綱７を引き出し切断（図４８参照）して、同撚りストランドＡ〜Ｆの中心部の心綱７の一部を抜いた箇所に芯部領域の空隙１１ｂを形成する。
【０３６８】
VII-a3．［外層線としての第１細束先端押込み工程］
切断された６組の外層線としての第１細束の細束ストランド１ｂ〜６ｂの先端切断部分、いわゆる外層線トゲ６本は、撚りストランドＡ〜Ｆの中心部の心綱７の一部を抜いて生じた芯部領域の空隙１１ｂ中に押し込む外層線としての第１細束先端押込み工程を行う。このとき束ストランドが芯部領域の周囲を囲繞した編込み収納部により、ストランド切断先端部たるトゲを包み込んだ状態となる。
【０３６９】
VIII-a3．［巻差しの第３半差し編み込み工程］
突出したままのかかる内層線の細束ストランド１ａ〜６ａは、半差しによる巻差し方法による作業で撚りストランドＡ〜Ｆ間に挿通する巻差しの第３半差し編み込み工程を行う。すなわち、図３３に示すように１組目〜６組目の内層線の細束ストランド１ａ〜６ａは、所定の撚りストランドＡ〜Ｆ間に、撚りと同じ方向に巻回しながら挿通する。
【０３７０】
（１）例えば、図３３に示すように、１組目の内層線の細束ストランド１ａをワイヤロープ１１の本線１１ａ側の撚りストランドＡ・Ｆの間から挿入して撚りストランドＥ・Ｆの間を抜く。
【０３７１】
（２）２組目の内層線の細束ストランド２ａをワイヤロープ１１の本線１１ａ側の撚りストランドＡ・Ｂの間から挿入して撚りストランドＡ・Ｆの間を抜く。
【０３７２】
（３）３組目の内層線の細束ストランド３ａをワイヤロープ１１の本線１１ａ側の撚りストランドＢ・Ｃの間から挿入して撚りストランドＡ・Ｂの間を抜く。
【０３７３】
（４）４組目の内層線の細束ストランド４ａをワイヤロープ１１の本線１１ａ側の撚りストランドＣ・Ｄの間から挿入して撚りストランドＢ・Ｃの間を抜く。
【０３７４】
（５）５組目の内層線の細束ストランド５ａをワイヤロープ１１の本線１１ａ側の撚りストランドＤ・Ｅの間から挿入して撚りストランドＣ・Ｄの間を抜く。
【０３７５】
（６）６組目の内層線の細束ストランド６ａをワイヤロープ１１の本線１１ａ側の撚りストランドＥ・Ｆの間から挿入して撚りストランドＤ・Ｅの間に抜く。
【０３７６】
以上で６組の内層線の細束ストランド１ａ〜６ａは、巻差しの方法による撚りストランドＡ〜Ｆへの１回目の挿通作業が完了する。
【０３７７】
次に、同じ手順で６組の内層線の細束ストランド１ａ〜６ａの２回目の巻差し方法による作業が行われる。図３４を基に詳説する。
【０３７８】
（１）例えば、図３４に示すように、１組目の内層線の細束ストランド１ａをワイヤロープ１１の本線１１ａ側の撚りストランドＡ・Ｆの間から挿入して撚りストランドＥ・Ｆの間を抜く。
【０３７９】
（２）２組目の内層線の細束ストランド２ａをワイヤロープ１１の本線１１ａ側の撚りストランドＡ・Ｂの間から挿入して撚りストランドＡ・Ｆの間を抜く。
【０３８０】
（３）３組目の内層線の細束ストランド３ａをワイヤロープ１１の本線１１ａ側の撚りストランドＢ・Ｃの間から挿入して撚りストランドＡ・Ｂの間を抜く。
【０３８１】
（４）４組目の内層線の細束ストランド４ａをワイヤロープ１１の本線１１ａ側の撚りストランドＣ・Ｄの間から挿入して撚りストランドＢ・Ｃの間を抜く。
【０３８２】
（５）５組目の内層線の細束ストランド５ａをワイヤロープ１１の本線１１ａ側の撚りストランドＤ・Ｅの間から挿入して撚りストランドＣ・Ｄの間を抜く。
【０３８３】
（６）６組目の内層線の細束ストランド６ａをワイヤロープ１１の本線１１ａ側の撚りストランドＥ・Ｆの間から挿入して撚りストランドＤ・Ｅの間に抜く。
【０３８４】
以上で６組の内層線の細束ストランド１ａ〜６ａは、巻差しの各方法による撚りストランドＡ〜Ｆへの２回目の挿通作業が完了する。
【０３８５】
このようにワイヤーロープの撚りストランドに細束ストランドを編み込むことで編込み収納部が形成されることとなる。
【０３８６】
以上の第３半差し編み込み工程において、半差しにおける巻差し作業は２回行われるが、特に２回に限定されるものではなく２回以上であってもよい。
【０３８７】
IX-a3．［内層線としての第２細束切断工程及び内層線としての第２細束先端押込み工程］
２〜３回の巻差しの作業が終了するとワイヤロープ表面位置において突出した６組の内層線の細束ストランド１ａ〜６ａを切断する内層線としての第２細束切断工程を行う。切断した内層線の切断部分は、撚りストランドＡ〜Ｆの芯部領域の空隙１１ｂ中に押込む内層線としての第２細束先端押込み工程を行う。
【０３８８】
例えば、図３５に示すように、６組の内層線の各細束ストランド１ａ〜６ａのうち２組ずつを束ねて根元をテーピングし、新たに３組のテーピングストランド束を形成し、その後、テーピングの先端から突出した細束ストランドを切断して３組のテーピング束ストランドの先端部分を芯部領域の空隙１１ｂ内に差し込む（図４９参照）。そして、外部に引出していた心綱７を芯部領域の空隙１１ｂに戻す。この編込み収納部における芯部領域の空隙に２組に束ねたテーピング束ストランドの先端部分たるトゲを封じ込めてワイヤロープの外部に突出できないように完全に封入することができる。このとき、細束ストランドを２組ずつ束ねると、束ストランドの直径と略同一径となり、芯部領域の空隙からワイヤーロープの外部への突出できなくすることができる。そして、一旦外部に引出した切断芯線を、芯部領域の空隙に戻すことによりその空隙をなくし、２組或は３組に束ねた細束ストランド切断先端部たるトゲの方向をワイヤーロープの長手方向に揃えてワイヤーロープの外部への突出を防止することができる。
【０３８９】
なお、６組の第２細束の細束ストランド１ｄ〜６ｄを２本ずつ束ねて芯部領域の空隙１１ｂに収めるようにしたが、６組の第２細束の細束ストランドを３本ずつ束ねて芯部領域の空隙１１ｂに収めるようにしてもよい。
【０３９０】
以上のI-a1〜IV-a1、V-a2、VI-a3〜IX-a3の各工程を経て、トゲなしのワイヤロープ玉掛索が完成する（図５０参照）。
【０３９１】
［第１６実施形態］
本発明の第１６実施形態のトゲのないワイヤロープの玉掛索製造方法は、束ストランド形成工程と、準備作業工程と、かご差しの第１編み込み工程と、かご差しの第２編み込み工程と、細束ストランド形成工程と、外層線としての第１細束切断工程と、外層線としての第１細束先端押込み工程と、巻差しの第３半差し編み込み工程と、内層線としての第２細束切断工程と、内層線としての第２細束先端押込み工程とよりなる。
【０３９２】
なお、本願発明の第１６実施形態のトゲのないワイヤロープの玉掛索製造方法は、上述した第１実施形態の玉掛索製造方法におけるI-a1.束ストランド形成工程〜III-a1.かご差しの第１編み込み工程まで同様に行い、さらに続けて、第２実施形態の玉掛索製造方法におけるIV-b1.かご差しの第２編み込み工程と、第８実施形態の玉掛索製造方法におけるV-a2.細束ストランド形成工程を行い、その後の各工程が次ぎのように異なる。すなわち、各工程は、VI-b3.外層線としての第１細束切断工程と、VII-b3.外層線としての第１細束先端押込み工程と、VIII-b3.巻差しの第３半差し編み込み工程と、IX-b3.内層線としての第２細束切断工程と内層線としての第２細束先端押込み工程とにおいて異なることとなる。
【０３９３】
以下の第１６実施形態では、上記第８実施形態の内層線と外層線との押し込み工程の順序を逆にして、先に外層線の細束ストランド１ｂ〜６ｂを切断し、芯部領域の空隙１１ｂに押し込み、その後に内層線の巻差しの第３半差し編み込み工程を行い、次いで切断して先端押込み工程を行うようにした。
【０３９４】
先ず、本願発明の第１６実施形態の玉掛索製造方法における束ストランド形成工程〜細束ストランド形成工程までの説明については、上述した第１実施形態の玉掛索製造方法におけるI-a1.束ストランド形成工程〜III-a1.かご差しの第１編み込み工程及び第２実施形態の玉掛索製造方法におけるIV-b1.かご差しの第２編み込み工程及び第６実施形態のV-a2.細束ストランド形成工程と同一であり重複説明を省略する。なお、第１６実施形態においては、第１細束を外層線とし、第２細束を内層線として説明を行う。
【０３９５】
VI-b3．［外層線としての第１細束切断工程］
６組の束ストランド１〜６の外層線の細束ストランド１ｂ〜６ｂは、ワイヤロープ表面の位置で切断する外層線としての第１細束切断工程を行い、６組の内層線、すなわち６組の細束ストランド１ａ〜６ａを残す（図３６参照）。このとき、撚りストランドＡ〜Ｆ間から心綱７を引き出し切断（図４８参照）して、同撚りストランドＡ〜Ｆの中心部の心綱７の一部を抜いた箇所に芯部領域の空隙１１ｂを形成する。
【０３９６】
VII-b3．［外層線としての第１細束先端押込み工程］
切断された６組の細束ストランドの先端切断部分、いわゆる外層線トゲ６本は、撚りストランドＡ〜Ｆの中心部の心綱７の一部を抜いて生じた芯部領域の空隙１１ｂ中に押し込む外層線としての第１細束先端押込み工程を行う。このとき束ストランドが芯部領域の周囲を囲繞した編込み収納部により、ストランド切断先端部たるトゲを包み込んだ状態となる。
【０３９７】
VIII-b3．［巻差しの第３半差し編み込み工程］
突出したままのかかる内層線の細束ストランド１ａ〜６ａは、半差しによる巻差し方法による作業で撚りストランドＡ〜Ｆ間に挿通する第３半差し編み込み工程を行う。すなわち、図３６に示すように１組目〜６組目の内層線の細束ストランド１ａ〜６ａは、所定の撚りストランドＡ〜Ｆ間に、撚りと同じ方向に巻回しながら挿通する。
【０３９８】
（１）例えば、図３６に示すように、１組目の内層線の細束ストランド１ａをワイヤロープ１１の本線１１ａ側の撚りストランドＣ・Ｄの間から挿入して撚りストランドＢ・Ｃの間を抜く。
【０３９９】
（２）２組目の内層線の細束ストランド２ａをワイヤロープ１１の本線１１ａ側の撚りストランドＤ・Ｅの間から挿入して撚りストランドＣ・Ｄの間を抜く。
【０４００】
（３）３組目の内層線の細束ストランド３ａをワイヤロープ１１の本線１１ａ側の撚りストランドＥ・Ｆの間から挿入して撚りストランドＤ・Ｅの間を抜く。
【０４０１】
（４）４組目の内層線の細束ストランド４ａをワイヤロープ１１の本線１１ａ側の撚りストランドＡ・Ｆの間から挿入して撚りストランドＥ・Ｆの間を抜く。
【０４０２】
（５）５組目の内層線の細束ストランド５ａをワイヤロープ１１の本線１１ａ側の撚りストランドＡ・Ｂの間から挿入して撚りストランドＡ・Ｆの間を抜く。
【０４０３】
（６）６組目の内層線の細束ストランド６ａをワイヤロープ１１の本線１１ａ側の撚りストランドＢ・Ｃの間から挿入して撚りストランドＡ・Ｂの間に抜く。
【０４０４】
以上で６組の内層線の細束ストランド１ａ〜６ａは、巻差しの各方法による撚りストランドＡ〜Ｆへの１回目の挿通作業が完了する。
【０４０５】
次に、図３７に示すように、上記（１）〜（６）と同じ手順で６組の内層線の細束ストランド１ａ〜６ａの２回目の巻差し方法による作業が行われる。
【０４０６】
そして、６組の内層線の細束ストランド１ａ〜６ａは、巻差しの各方法による撚りストランドＡ〜Ｆへの２回目の挿通作業が完了する。
【０４０７】
このようにワイヤーロープの撚りストランドに細束ストランドを編み込むことで編込み収納部が形成されることとなる。
【０４０８】
以上の第３半差し編み込み工程において、半差しにおける巻差し作業は２回行われるが、特に２回に限定されるものではなく２回以上であってもよい。
【０４０９】
IX-b3．［内層線としての第２細束切断工程及び内層線としての第２細束先端押込み工程］
２〜３回の巻差しの作業が終了するとワイヤロープ表面位置において突出した６組の内層線の細束ストランド１ａ〜６ａを切断する内層線としての第２細束切断工程を行う。切断した内層線の切断部分は、撚りストランドＡ〜Ｆの芯部領域の空隙１１ｂ中に押込む内層線（第２細束）先端押込み工程を行う。
【０４１０】
例えば、図３８に示すように、６組の内層線の各細束ストランド１ａ〜６ａのうち２組ずつを束ねて根元をテーピングし、新たに３組のテーピングストランド束を形成し、その後、テーピングの先端から突出した細束ストランドを切断して３組のテーピング束ストランドの先端部分を芯部領域の空隙１１ｂ内に差し込む。そして、外部に引出していた心綱７を芯部領域の空隙１１ｂに戻す。この編込み収納部における芯部領域の空隙に２組に束ねたテーピング束ストランドの先端部分たるトゲを封じ込めてワイヤロープの外部に突出できないように完全に封入することができる。このとき、細束ストランドを２組ずつ束ねると、束ストランドの直径と略同一径となり、芯部領域の空隙からワイヤーロープの外部への突出できなくすることができる。そして、一旦外部に引出した切断芯線を、芯部領域の空隙に戻すことによりその空隙をなくし、２組或は３組に束ねた細束ストランド切断先端部たるトゲの方向をワイヤーロープの長手方向に揃えてワイヤーロープの外部への突出を防止することができる。
【０４１１】
なお、図３８で説明した６組の内層線の細束ストランド１ａ〜６ａを２本ずつ束ねて芯部領域の空隙１１ｂに収めるようにしたが、６組の内層線の細束ストランドを３本ずつ束ねて芯部領域の空隙１１ｂに収めるようにしてもよい。
【０４１２】
以上のI-a1〜III-a1、IV-b1、V-a2、VI-b3〜IX-b3の各工程を経て、トゲなしのワイヤロープ玉掛索が完成する（図５０参照）。
【０４１３】
［第１７実施形態］
本発明の第１７実施形態のトゲのないワイヤロープの玉掛索製造方法は、束ストランド形成工程と、準備作業工程と、巻差しの第１編み込み工程と、巻差しの第２編み込み工程と、細束ストランド形成工程と、外層線としての第１細束切断工程と、外層線としての第１細束先端押込み工程と、かご差しの第３半差し編み込み工程と、内層線としての第２細束切断工程と、内層線としての第２細束先端押込み工程とよりなる。
【０４１４】
なお、本願発明の第１７実施形態のトゲのないワイヤロープの玉掛索製造方法は、上述した第１実施形態の玉掛索製造方法におけるI-a1.束ストランド形成工程、II-a1.準備作業工程まで同様に行い、さらに続けて、第３実施形態の玉掛索製造方法におけるIII-c1.巻差しの第１編み込み工程と、IV-c1．巻差しの第２編み込み工程と、第８実施形態の玉掛索製造方法におけるV-a2．細束ストランド形成工程まで同様に行い、その後の各工程が次ぎのように異なる。すなわち、各工程は、VI-c3.外層線としての第１細束切断工程と、VII-c3.外層線としての第１細束先端押込み工程と、VIII-c3.かご差しの第３半差し編み込み工程と、IX-c3.内層線としての第２細束切断工程と内層線としての第２細束先端押込み工程とにおいて異なることとなる。
【０４１５】
以下の第１７実施形態では、上記第１０実施形態の内層線と外層線との押し込み工程の順序を逆にして、先に外層線の細束ストランド１ｂ〜６ｂを切断し、芯部領域の空隙１１ｂに押し込み、その後に内層線のかご差しの第３半差し編み込み工程を行い、次いで切断して先端押込み工程を行うようにした。
【０４１６】
本願発明の第１７実施形態の玉掛索製造方法における束ストランド形成工程〜細束ストランド形成工程までの説明については、上述した第１実施形態の玉掛索製造方法におけるI-a1.束ストランド形成工程、II-a1.準備作業工程及び第３実施形態の玉掛索製造方法におけるIII-c1.巻差しの第１編み込み工程、IV-c1.巻差しの第２編み込み工程及び第８実施形態の玉掛索製造方法におけるV-a2．細束ストランド形成工程までと同一であり重複説明を省略する。なお、第１７実施形態においては、第１細束を外層線とし、第２細束を内層線として説明を行う。
【０４１７】
VI-c3．［外層線としての第１細束切断工程］
６組の束ストランド１〜６の外層線の細束ストランド１ｂ〜６ｂは、ワイヤロープ表面の位置で切断する外層線としての第１細束切断工程を行い、６組の内層線、すなわち６組の細束ストランド１ａ〜６ａを残す（図３９参照）。このとき、撚りストランドＡ〜Ｆ間から心綱７を引き出し切断して、同撚りストランドＡ〜Ｆの中心部の心綱７の一部を抜いた箇所に芯部領域の空隙１１ｂを形成する。
【０４１８】
VII-c3．［外層線としての第１細束先端押込み工程］
切断された６組の細束ストランドの先端切断部分、いわゆる外層線トゲ６本は、撚りストランドＡ〜Ｆの中心部の心綱７の一部を抜いて生じた芯部領域の空隙１１ｂ中に押し込む外層線としての第１細束先端押込み工程を行う。このとき束ストランドが芯部領域の周囲を囲繞した編込み収納部により、ストランド切断先端部たるトゲを包み込んだ状態となる。
【０４１９】
VIII-c3．［かご差しの第３半差し編み込み工程］
突出したままのかかる内層線の細束ストランド１ａ〜６ａは、半差しによるかご差し方法による作業で撚りストランドＡ〜Ｆ間に挿通する第３半差し編み込み工程を行う。すなわち、図３９に示すように１組目〜６組目の内層線の細束ストランド１ａ〜６ａは、所定の撚りストランドＡ〜Ｆ間に、撚りと逆の方向に巻回しながら挿通する。
【０４２０】
（１）例えば、図３９に示すように、１組目の内層線の細束ストランド１ａをワイヤロープ１１の本線１１ａ側の撚りストランドＡ・Ｂの間から挿入して撚りストランドＥ・Ｆの間を抜く。
【０４２１】
（２）２組目の内層線の細束ストランド２ａをワイヤロープ１１の本線１１ａ側の撚りストランドＢ・Ｃの間から挿入して撚りストランドＡ・Ｆの間を抜く。
【０４２２】
（３）３組目の内層線の細束ストランド３ａをワイヤロープ１１の本線１１ａ側の撚りストランドＣ・Ｄの間から挿入して撚りストランドＡ・Ｂの間を抜く。
【０４２３】
（４）４組目の内層線の細束ストランド４ａをワイヤロープ１１の本線１１ａ側の撚りストランドＤ・Ｅの間から挿入して撚りストランドＢ・Ｃの間を抜く。
【０４２４】
（５）５組目の内層線の細束ストランド５ａをワイヤロープ１１の本線１１ａ側の撚りストランドＥ・Ｆの間から挿入して撚りストランドＣ・Ｄの間を抜く。
【０４２５】
（６）６組目の内層線の細束ストランド６ａをワイヤロープ１１の本線１１ａ側の撚りストランドＡ・Ｆの間から挿入して撚りストランドＤ・Ｅの間に抜く。
【０４２６】
以上で６組の内層線の細束ストランド１ａ〜６ａは、かご差しの各方法による撚りストランドＡ〜Ｆへの１回目の挿通作業が完了する。
【０４２７】
次に、図４０に示すように、上記（１）〜（６）と同じ手順で６組の内層線の細束ストランド１ａ〜６ａの２回目のかご差し方法による作業が行われる。
【０４２８】
そして、６組の内層線の細束ストランド１ａ〜６ａは、かご差しの各方法による撚りストランドＡ〜Ｆへの２回目の挿通作業が完了する。
【０４２９】
このようにワイヤーロープの撚りストランドに細束ストランドを編み込むことで編込み収納部が形成されることとなる。
【０４３０】
以上の第３半差し編み込み工程において、半差しにおけるかご差し作業は２回行われるが、特に２回に限定されるものではなく２回以上であってもよい。
【０４３１】
IX-c3．［内層線としての第２細束切断工程及び内層線としての第２細束先端押込み工程］
２〜３回のかご差しの作業が終了するとワイヤロープ表面位置において突出した６組の内層線の細束ストランド１ａ〜６ａを切断する内層線としての第２細束切断工程を行う。切断した内層線の切断部分は、撚りストランドＡ〜Ｆの芯部領域の空隙１１ｂ中に押込む内層線としての第２細束先端押込み工程を行う。
【０４３２】
例えば、図４１に示すように、６組の内層線の各細束ストランド１ａ〜６ａのうち２組ずつを束ねて根元をテーピングし、新たに３組のテーピングストランド束を形成し、その後、テーピングの先端から突出した細束ストランドを切断して３組のテーピング束ストランドの先端部分を芯部領域の空隙１１ｂ内に差し込む。そして、外部に引出していた心綱７を芯部領域の空隙１１ｂに戻す。この編込み収納部における芯部領域の空隙に２組に束ねたテーピング束ストランドの先端部分たるトゲを封じ込めてワイヤロープの外部に突出できないように完全に封入することができる。このとき、細束ストランドを２組ずつ束ねると、束ストランドの直径と略同一径となり、芯部領域の空隙からワイヤーロープの外部への突出できなくすることができる。そして、一旦外部に引出した切断芯線を、芯部領域の空隙に戻すことによりその空隙をなくし、２組或は３組に束ねた細束ストランド切断先端部たるトゲの方向をワイヤーロープの長手方向に揃えてワイヤーロープの外部への突出を防止することができる。
【０４３３】
なお、図４１で説明した６組の内層線の細束ストランド１ａ〜６ａを２本ずつ束ねて芯部領域の空隙１１ｂに収めるようにしたが、６組の内層線の細束ストランドを３本ずつ束ねて芯部領域の空隙１１ｂに収めるようにしてもよい。
【０４３４】
以上のI-a1〜II-a1、III-c1〜IV-c1、V-a2、VI-c3〜IX-c3の各工程を経て、トゲなしのワイヤロープ玉掛索が完成する（図５０参照）。
【０４３５】
［第１８実施形態］
本発明の第１８実施形態のトゲのないワイヤロープの玉掛索製造方法は、束ストランド形成工程と、準備作業工程と、巻差しの第１編み込み工程と、かご差しの第２編み込み工程と、細束ストランド形成工程と、外層線としての第１細束切断工程と、外層線としての第１細束先端押込み工程と、巻差しの第３半差し編み込み工程と、内層線としての第２細束切断工程と、内層線としての第２細束先端押込み工程とよりなる。
【０４３６】
なお、本願発明の第１８実施形態のトゲのないワイヤロープの玉掛索製造方法は、上述した第１実施形態の玉掛索製造方法におけるI-a1.束ストランド形成工程、II-a1.準備作業工程まで同様に行い、さらに続いて、第３実施形態の玉掛索製造方法におけるIII-c1.巻差しの第１編み込み工程を行い、続いて、第４実施形態の玉掛索製造方法におけるIV-d1．かご差しの第２編み込み工程を行い、続いて、第８実施形態の玉掛索製造方法におけるV-a2．細束ストランド形成工程を行い、続いて、第１５実施形態の玉掛索製造方法におけるVI-a3.外層線としての第１細束切断工程、VII-a3.外層線としての第１細束先端押込み工程、VIII-a3.巻差しの第３半差し編み込み工程、IX-a3.内層線としての第２細束切断工程と内層線としての第２細束先端押込み工程までの作業を同様に行なう。
【０４３７】
以上のI-a1〜II-a1、III-c1、IV-d1、V-a2、VI-a3〜IX-a3の各工程を経て、トゲなしのワイヤロープ玉掛索が完成する（図５０参照）。
【０４３８】
［第１９実施形態］
本発明の第１９実施形態のトゲのないワイヤロープの玉掛索製造方法は、束ストランド形成工程と、準備作業工程と、かご差しの第１編み込み工程と、巻差しの第２編み込み工程と、細束ストランド形成工程と、外層線としての第１細束切断工程と、外層線としての第１細束先端押込み工程と、かご差しの第３半差し編み込み工程と、内層線としての第２細束切断工程と、内層線としての第２細束先端押込み工程とよりなる。
【０４３９】
なお、本願発明の第１９実施形態のトゲのないワイヤロープの玉掛索製造方法は、上述した第１実施形態の玉掛索製造方法におけるI-a1.束ストランド形成工程〜IV-a1.巻差しの第２編み込み工程及び第８実施形態の玉掛索製造方法におけるV-a2.細束ストランド形成工程まで同様に行い、さらに続いて、第１５実施形態の玉掛索製造方法におけるVI-a3.外層線としての第１細束切断工程と、VII-a3.外層線としての第１細束先端押込み工程を行い、その後の各工程が次ぎのように異なる。すなわち、各工程は、VIII-e3.かご差しの第３半差し編み込み工程と、IX-e3.内層線としての第２細束切断工程と内層線としての第２細束先端押込み工程とにおいて異なることとなる。
【０４４０】
本願発明の第１９実施形態の玉掛索製造方法における束ストランド形成工程〜外層先端押込み工程までの説明については、上述した第１実施形態の玉掛索製造方法におけるI-a1.束ストランド形成工程〜IV-a1.巻差しの第２編み込み工程及び第８実施形態の玉掛索製造方法におけるV-a2.細束ストランド形成工程及び第１５実施形態の玉掛索製造方法におけるVI-a3.外層線としての第１細束切断工程〜VII-a3.外層線としての第１細束先端押込み工程までと同一であり重複説明を省略する。なお、第１９実施形態においては、第１細束を外層線とし、第２細束を内層線として説明を行う。
【０４４１】
VIII-e3．［かご差しの第３半差し編み込み工程］
突出したままのかかる内層線の細束ストランド１ａ〜６ａは、半差しによるかご差し方法による作業で撚りストランドＡ〜Ｆ間に挿通する第３半差し編み込みを行う。すなわち、１組目〜６組目の内層線の細束ストランド１ａ〜６ａは、所定の撚りストランドＡ〜Ｆ間に、撚りと逆の方向に巻回しながら挿通する。
【０４４２】
（１）例えば、図４２に示すように、１組目の細束ストランド１ａをワイヤロープ１１の本線１１ａ側の撚りストランドＤ・Ｅの間から挿入して撚りストランドＢ・Ｃの間を抜く。
【０４４３】
（２）２組目の細束ストランド２ａをワイヤロープ１１の本線１１ａ側の撚りストランドＥ・Ｆの間から挿入して撚りストランドＣ・Ｄの間を抜く。
【０４４４】
（３）３組目の細束ストランド３ａをワイヤロープ１１の本線１１ａ側の撚りストランドＡ・Ｆの間から挿入して撚りストランドＤ・Ｅの間を抜く。
【０４４５】
（４）４組目の細束ストランド４ａをワイヤロープ１１の本線１１ａ側の撚りストランドＡ・Ｂの間から挿入して撚りストランＥ・Ｆの間を抜く。
【０４４６】
（５）５組目の細束ストランド５ａをワイヤロープ１１の本線１１ａ側の撚りストランドＢ・Ｃの間から挿入して撚りストランドＡ・Ｆの間を抜く。
【０４４７】
（６）６組目の細束ストランド６ａをワイヤロープ１１の本線１１ａ側の撚りストランドＣ・Ｄの間から挿入して撚りストランドＡ・Ｂの間に抜く。
【０４４８】
以上で６組の内層線の細束ストランド１ａ〜６ａは、かご差しの各方法による撚りストランドＡ〜Ｆへの１回目の挿通作業が完了する。
【０４４９】
次に、図４３に示すように、上記（１）〜（６）と同じ手順で６組の外層線の細束ストランド１ｂ〜６ｂの２回目のかご差し方法による作業が行われる。
【０４５０】
そして、６組の内層線の細束ストランド１ａ〜６ａは、かご差しの各方法による撚りストランドＡ〜Ｆへの２回目の挿通作業が完了する。
【０４５１】
このようにワイヤーロープの撚りストランドに細束ストランドを編み込むことで編込み収納部が形成されることとなる。
【０４５２】
以上の第３半差し編み込み工程において、半差しにおけるかご差し作業は２回行われるが、特に２回に限定されるものではなく２回以上であってもよい。
【０４５３】
IX-e3．［内層線としての第２細束切断工程及び内層線としての第２細束先端押込み工程］
２〜３回のかご差しの作業が終了するとワイヤロープ表面位置において突出した６組の内層線の細束ストランド１ａ〜６ａを切断する内層線としての第２細束切断工程を行う。切断した内層線の切断部分は、撚りストランドＡ〜Ｆの芯部領域の空隙１１ｂ中に押込む内層線としての第２細束先端押込み工程を行う。
【０４５４】
例えば、図４４に示すように、６組の内層線の各細束ストランド１ａ〜６ａのうち２組ずつを束ねて根元をテーピングし、新たに３組のテーピングストランド束を形成し、その後、テーピングの先端から突出した細束ストランドを切断して３組のテーピング束ストランドの先端部分を芯部領域の空隙１１ｂ内に差し込む。そして、外部に引出していた心綱７を芯部領域の空隙１１ｂに戻す。この編込み収納部における芯部領域の空隙に２組に束ねたテーピング束ストランドの先端部分たるトゲを封じ込めてワイヤロープの外部に突出できないように完全に封入することができる。このとき、細束ストランドを２組ずつ束ねると、束ストランドの直径と略同一径となり、芯部領域の空隙からワイヤーロープの外部への突出できなくすることができる。そして、一旦外部に引出した切断芯線を、芯部領域の空隙に戻すことによりその空隙をなくし、２組或は３組に束ねた細束ストランド切断先端部たるトゲの方向をワイヤーロープの長手方向に揃えてワイヤーロープの外部への突出を防止することができる。
【０４５５】
なお、図４４で説明した６組の内層線の細束ストランド１ａ〜６ａを２本ずつ束ねて芯部領域の空隙１１ｂに収めるようにしたが、６組の内層線の細束ストランドを３本ずつ束ねて芯部領域の空隙１１ｂに収めるようにしてもよい。
【０４５６】
以上のI-a1〜IV-a1、V-a2、VI-a3〜VII-a3、VIII-e3〜IX-e3の各工程を経て、トゲなしのワイヤロープ玉掛索が完成する（図５０参照）。
【０４５７】
［第２０実施形態］
本発明の第２０実施形態のトゲのないワイヤロープの玉掛索製造方法は、束ストランド形成工程と、準備作業工程と、かご差しの第１編み込み工程と、かご差しの第２編み込み工程と、細束ストランド形成工程と、外層線としての第１細束切断工程と、外層線としての第１細束先端押込み工程と、かご差しの第３半差し編み込み工程と、内層線としての第２細束切断工程と、内層線としての第２細束先端押込み工程とよりなる。
【０４５８】
本願発明の第２０実施形態のトゲのないワイヤロープの玉掛索製造方法は、上述した第１実施形態の玉掛索製造方法におけるI-a1.束ストランド形成工程〜III-a1.かご差しの第１編み込み工程まで同様に行い、さらに続けて、第２実施形態の玉掛索製造方法におけるIV-b1.かご差しの第２編み込み工程と、第８実施形態の玉掛索製造方法におけるV-a2.細束ストランド形成工程を行い、第１６実施形態の玉掛索製造方法におけるVI-b3.外層線としての第１細束切断工程と、VII-b3.外層線としての第１細束先端押込み工程を行い、第１７実施形態の玉掛索製造方法におけるVIII-c3.巻差しの第３半差し編み込み工程と、IX-c3.内層線としての第２細束切断工程と内層線としての第２細束先端押込み工程と同一の作業を行う。
【０４５９】
以上のI-a1〜III-a1、IV-b1、V-a2、VI-b3〜VII-b3、VIII-c3〜IX-c3の各工程を経て、トゲなしのワイヤロープ玉掛索が完成する（図５０参照）。
【０４６０】
［第２１実施形態］
本発明の第２１実施形態のトゲのないワイヤロープの玉掛索製造方法は、束ストランド形成工程と、準備作業工程と、巻差しの第１編み込み工程と、巻差しの第２編み込み工程と、細束ストランド形成工程と、外層線としての第１細束切断工程と、外層線としての第１細束先端押込み工程と、巻差しの第３半差し編み込み工程と、内層線としての第２細束切断工程と、内層線としての第２細束先端押込み工程とよりなる。
【０４６１】
なお、本願発明の第２１実施形態のトゲのないワイヤロープの玉掛索製造方法は、上述した第１実施形態の玉掛索製造方法におけるI-a1.束ストランド形成工程、II-a1.準備作業工程まで同様に行い、さらに続けて、第３実施形態の玉掛索製造方法におけるIII-c1.巻差しの第１編み込み工程と、IV-c1．巻差しの第２編み込み工程と、第８実施形態の玉掛索製造方法におけるV-a2．細束ストランド形成工程まで同様に行い、さらに第１５実施形態のの玉掛索製造方法におけるVI-a3.外層線切断工程と、VII-a3.外層先端押込み工程と、VIII-a3.巻差しの第３半差し編み込み工程と、IX-a3.内層線切断工程と内層線先端押込み工程まで同様に行うこととなる。
【０４６２】
以上のI-a1〜II-a1、III-c1〜IV-c1、V-a2、VI-a3〜IX-a3の各工程を経て、トゲなしのワイヤロープ玉掛索が完成する（図５０参照）。
【符号の説明】
【０４６３】
Ａ〜Ｆ  撚りストランド
１〜６  束ストランド
１ａ〜６ａ  内層線の細束ストランド
１ｂ〜６ｂ  外層線の細束ストランド
１ｃ〜６ｃ  第１細束の細束ストランド
１ｄ〜６ｄ  第２細束の細束ストランド
７  心綱
１１  ワイヤロープ
【図１】
2011068474.tif 000003
【図２】
2011068474.tif 000004
【図３】
2011068474.tif 000005
【図４】
2011068474.tif 000006
【図５】
2011068474.tif 000007
【図６】
2011068474.tif 000008
【図７】
2011068474.tif 000009
【図８】
2011068474.tif 000010
【図９】
2011068474.tif 000011
【図１０】
2011068474.tif 000012
【図１１】
2011068474.tif 000013
【図１２】
2011068474.tif 000014
【図１３】
2011068474.tif 000015
【図１４】
2011068474.tif 000016
【図１５】
2011068474.tif 000017
【図１６】
2011068474.tif 000018
【図１７】
2011068474.tif 000019
【図１８】
2011068474.tif 000020
【図１９】
2011068474.tif 000021
【図２０】
2011068474.tif 000022
【図２１】
2011068474.tif 000023
【図２２】
2011068474.tif 000024
【図２３】
2011068474.tif 000025
【図２４】
2011068474.tif 000026
【図２５】
2011068474.tif 000027
【図２６】
2011068474.tif 000028
【図２７】
2011068474.tif 000029
【図２８】
2011068474.tif 000030
【図２９】
2011068474.tif 000031
【図３０】
2011068474.tif 000032
【図３１】
2011068474.tif 000033
【図３２】
2011068474.tif 000034
【図３３】
2011068474.tif 000035
【図３４】
2011068474.tif 000036
【図３５】
2011068474.tif 000037
【図３６】
2011068474.tif 000038
【図３７】
2011068474.tif 000039
【図３８】
2011068474.tif 000040
【図３９】
2011068474.tif 000041
【図４０】
2011068474.tif 000042
【図４１】
2011068474.tif 000043
【図４２】
2011068474.tif 000044
【図４３】
2011068474.tif 000045
【図４４】
2011068474.tif 000046
【図４５】
2011068474.tif 000047
【図４６】
2011068474.tif 000048
【図４７】
2011068474.tif 000049
【図４８】
2011068474.tif 000050
【図４９】
2011068474.tif 000051
【図５０】
2011068474.tif 000052